(57)【特許請求の範囲】
【請求項１】
分離可能な複数のケース体と、これら複数のケース体により形成される内部空間内に収容される制御基板とを有する制御基板装置を備えた遊技機において、
前記各ケース体の分離を阻止可能であり、光を導くことが可能な導光性を有する解除部が切断されることでその分離阻止を解除する分離阻止手段と、
前記内部空間のうち、前記制御基板の素子搭載面側に搭載された発光手段と、
前記各ケース体のうち所定のケース体の壁部の内側に一体形成され、前記発光手段の光を前記壁部まで導く導光手段と、
を備え、
前記解除部は前記所定のケース体の前記壁部の外側に一体形成され、
前記解除部の前記壁部との一体部分と前記導光手段の前記壁部との一体部分とが前記壁部を挟んで向かい合っていることにより、前記発光手段からの光が前記導光手段を通じて前記解除部まで導かれることを特徴とする遊技機。
【発明の詳細な説明】
【技術分野】
【０００１】
本発明は、遊技機に関するものである。
【背景技術】
【０００２】
遊技機の一種として、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。そして、この制御基板は基板ボックスに収容されて制御基板装置として設けられている。
【０００３】
この種の遊技機においては、不正な利益を得ることを目的として、基板ボックスを開封し制御基板を不正な基板に交換したりする等、制御基板に対しての不正行為が数多く報告されている。この対策として、例えば、基板ボックスを構成する各ケース体に結合構造（いわゆる、カシメ構造）を持たせて基板ボックスの開封時には結合構造の破壊等による痕跡を残すようにする等の不正対策が採用されている（例えば、特許文献１参照）。
【０００４】
しかしながら、不正行為を抑制するには未だ改善の余地がある。
【先行技術文献】
【特許文献】
【０００５】
【特許文献１】特開２００３−１８０９１７号公報
【発明の概要】
【発明が解決しようとする課題】
【０００６】
本発明は上記例示した事情等に鑑みてなされたものであり、不正行為を好適に抑制可能な遊技機を提供することを目的とするものである。
【課題を解決するための手段】
【０００７】
本発明は、分離可能な複数のケース体と、これら複数のケース体により形成される内部空間内に収容される制御基板とを有する制御基板装置を備えた遊技機において、
前記各ケース体の分離を阻止可能であり、光を導くことが可能な導光性を有する解除部が切断されることでその分離阻止を解除する分離阻止手段と、
前記内部空間のうち、前記制御基板の素子搭載面側に搭載された発光手段と、
前記各ケース体のうち所定のケース体の壁部の内側に一体形成され、前記発光手段の光を前記壁部まで導く導光手段と、
を備え、
前記解除部は前記所定のケース体の前記壁部の外側に一体形成され、
前記解除部の前記壁部との一体部分と前記導光手段の前記壁部との一体部分とが前記壁部を挟んで向かい合っていることにより、前記発光手段からの光が前記導光手段を通じて前記解除部まで導かれることを特徴とする。
【発明の効果】
【０００８】
本発明によれば、不正行為を好適に抑制可能とすることができる。
【図面の簡単な説明】
【０００９】
【図１】一実施の形態におけるパチンコ機を示す正面図である。
【図２】パチンコ機の主要な構成を展開又は分解して示す斜視図である。
【図３】パチンコ機を構成する本体枠の前面構成を示す正面図である。
【図４】遊技盤の構成を示す正面図である。
【図５】前扉枠の構成を示す背面図である。
【図６】パチンコ機の構成を示す背面図である。
【図７】パチンコ機の背面構成を主要部品毎に分解して示す分解斜視図である。
【図８】パチンコ機裏面における第１制御基板ユニット、第２制御基板ユニット及び裏パックユニットの配置を示す模式図である。
【図９】本体枠及び遊技盤の構成を示す背面図である。
【図１０】本体枠の背面構成を示す斜視図である。
【図１１】遊技盤の背面構成を示す斜視図である。
【図１２】軸受け金具の構成を示す斜視図である。
【図１３】第１制御基板ユニットの構成を示す正面図である。
【図１４】第１制御基板ユニットの構成を示す斜視図である。
【図１５】第１制御基板ユニットの分解斜視図である。
【図１６】第１制御基板ユニットの背面構成を示す分解斜視図である。
【図１７】主制御装置の正面図である。
【図１８】主制御装置の分解斜視図である。
【図１９】基板ボックスを説明するための説明図である。
【図２０】基板ボックスに設けられた結合ユニットの結合の様子、及びその解除の様子を説明するための結合ユニット周辺の横断面図である。
【図２１】（ａ）は基板ボックスの結合ユニット周辺を拡大して示す正面図、（ｂ）はその縦断面図である。
【図２２】本体側連結部における光の伝わり方を説明するための説明図である。
【図２３】第２制御基板ユニットの構成を示す正面図である。
【図２４】第２制御基板ユニットの構成を示す斜視図である。
【図２５】第２制御基板ユニットの分解斜視図である。
【図２６】裏パックユニットの構成を示す正面図である。
【図２７】裏パックユニットの分解斜視図である。
【図２８】パチンコ機の電気的構成を示すブロック図である。
【図２９】別の主制御装置の構成を示す斜視図である。
【図３０】分離阻止部材の構成を示す断面図である。
【図３１】分離阻止部材における光の伝わり方を説明するための説明図である。
【図３２】別の主制御装置の構成を示す横断面図である。
【図３３】基板ボックスに設けられた結合ユニットの結合の様子、及びその解除の様子を説明するための結合ユニット周辺の横断面図である。
【図３４】連結部における光の伝わり方を説明するための説明図である。
【図３５】（ａ）及び（ｂ）は別の結合ユニットの構成を示す断面図である。
【図３６】（ａ）は別の結合ユニットの構成を示す横断面図、（ｂ）は別の結合ユニットの構成を示す縦断面図である。
【図３７】別の分離阻止部材の構成を示す断面図である。
【図３８】別の分離阻止部材の構成を示す断面図である。
【発明を実施するための形態】
【００１０】
はじめに、本実施の形態から抽出され得る発明を、必要に応じて効果等を示しつつ説明する。
【００１１】
手段１．分離可能な複数のケース体（ボックスベース２８０、ボックスカバー２９０）と、これら複数のケース体により形成される内部空間内に収容される制御基板（主制御基板２７１）とを有する制御基板装置（主制御装置２７０）を備えた遊技機において、
前記各ケース体の分離を阻止するとともに、解除部（本体側連結部２９５）が切断されることでその分離阻止を解除する分離阻止手段（ベース側結合部２８６、カバー側結合部２９４）を設け、
さらに、前記解除部を、透明性を有する導光体を用いて構成するとともに、
当該解除部に光を導入する発光手段（ＬＥＤ３００ａ）を設けたことを特徴とする遊技機。
【００１２】
手段１によれば、分離阻止手段が設けられていることにより各ケース体の分離が阻止され、ケース体を分離させ制御基板を不正な基板に交換しようとする行為及び制御基板に搭載されたＲＯＭ等のチップを不正なチップに交換しようとする行為が抑制される。
【００１３】
この場合に、分離阻止手段の解除部は透明性を有する導光体を用いて構成されており、発光手段から照射された光は解除部に導入される。したがって、各ケース体を分離させるべく解除部を切断した場合には、仮に接着剤などを用いて解除部を外観上元に戻しておいたとしても切断箇所は残り、解除部における光の伝わり方が変化する。つまり、解除部内を反射しながら進む光は切断箇所にて入射角が変化し、その位置にて解除部の外部に放射されることとなる。よって、遊技ホールの管理者等は解除部を目視し解除部の切断に伴う光を確認することで各ケース体が分離されたことを把握することができ、不正な制御基板への交換等といった不正行為を容易に且つ確実に発見することができる。
【００１４】
なお、解除部を積極的に設けることにより、遊技ホールなどにおいて解除部を切断することで制御基板のメンテナンスなどを行うことが可能となる。
【００１５】
また、「前記解除部を、透明性を有する導光体を用いて構成する」とは、解除部を透明性を有する材料により形成する構成、又は解除部に対して導光体を埋設、若しくは固着する構成が考えられる。
【００１６】
手段２．手段１において、前記分離阻止手段には、前記解除部に導入された光を透過させて又は乱反射させて放射する光放射部（凹凸部２９５ｂ）を設けたことを特徴とする遊技機。
【００１７】
手段２によれば、発光手段から解除部に導入された光は光放射部にて放射される。この場合に、各ケース体を分離させるべく解除部を切断した場合には、仮に接着剤などを用いて解除部を外観上元に戻しておいたとしても切断箇所は残り、光放射部にて光が放射されなくなる、又は光放射部から放射される光量が少なくなる。よって、遊技ホールの管理者等は光放射部から放射される光を確認することで各ケース体が分離されたか否かを確認することができ、不正な制御基板への交換等といった不正行為を容易に且つ確実に発見することができる。
【００１８】
手段３．手段１又は２において、前記分離阻止手段は、前記各ケース体を結合する結合手段であることを特徴とする遊技機。
【００１９】
手段３によれば、結合手段によって各ケース体が結合される。かかる構成においては、各ケース体を分離させるには結合手段の結合を解除する必要が生じ、結合を解除すべく解除部を切断した場合には、仮に接着剤などを用いて解除部を外観上元に戻しておいたとしても切断箇所は残り、解除部における光の伝わり方が変化する。
【００２０】
手段４．手段３において、前記結合手段は、前記各ケース体のうちの第１ケース体（ボックスベース２８０）に設けられる第１結合部（ベース側結合部２８６）と、当該第１結合部に重なるようにして第２ケース体（ボックスカバー２９０）に設けられる第２結合部（カバー側結合部２９４）とを備え、これら第１，第２結合部を介して前記各ケース体を結合する構成とし、
さらに、前記解除部は、前記第１，第２ケース体の少なくとも一方に設けられ、そのケース体の本体部（本体部２９３）と前記結合部とを連結する連結部（本体側連結部２９５）であることを特徴とする遊技機。
【００２１】
手段４によれば、第１，第２結合部を介して各ケース体が結合されるため、各ケース体の結合を解除するためには連結部を切断し、結合状態にある第１，第２結合部を本体部から分離させる必要が生じる。この場合に、上記手段１の構成を備え連結部を切断した場合には、仮に接着剤などを用いて連結部を外観上元に戻しておいたとしても切断箇所は残り、連結部における光の伝わり方が変化する。
【００２２】
手段５．手段４において、前記第１，第２結合部を複数組設けるとともに、各第１，第２結合部に対応させて前記連結部を設け、
さらに、前記発光手段を前記各連結部に対して光を導入するようにして設けるとともに、前記連結部に導入された光を透過させて又は乱反射させて放射する光放射部（凹凸部２９５ｂ）を前記各連結部に１対１で対応させて設け、
前記各連結部に導入する光の色を同一色としたことを特徴とする遊技機。
【００２３】
手段５の遊技機では、第１，第２結合部が複数組設けられているので、例えば、遊技ホール等においては制御基板のメンテナンス毎に第１，第２結合部に対して結合処理を順次行うことが可能となる。
【００２４】
この場合に、発光手段からの光は、第１，第２結合部に対応した各連結部に対して導入され、光放射部は各連結部に１対１で対応させて設けられている。そして、各連結部に導入される光の色は同一色となっている。よって、遊技ホールの管理者等は結合処理を行った第１，第２結合部に対応した光放射部と、結合処理を行っていない第１，第２結合部に対応した光放射部とを比較することで、ケース体が分離されたか否かを容易に確認することができる。
【００２５】
手段６．手段５において、前記複数組の第１，第２結合部を並設したことを特徴とする遊技機。
【００２６】
手段６によれば、複数組の第１，第２結合部が並設されているので、視点を変えることなく、結合処理を行った第１，第２結合部に対応した光放射部と、結合処理を行っていない第１，第２結合部に対応した光放射部とを視認することができる。よって、各光放射部の比較を容易に且つ正確に行うことができる。
【００２７】
手段７．手段４乃至６のいずれかにおいて、前記連結部を透明性材料により板状に形成するとともに、前記発光手段を前記連結部の一端側から光を導入するように配設したことを特徴とする遊技機。
【００２８】
手段７によれば、連結部は導光板として機能し、発光手段からの光が光放射部に円滑に導かれる。
【００２９】
手段８．手段７において、前記連結部に導入された光を透過させて又は乱反射させて放射する光放射部（凹凸部２９５ｂ）を、前記連結部の所定の板面における略全体に亘って形成したことを特徴とする遊技機。
【００３０】
手段８によれば、光放射部が連結部に形成されるので、ケース体などにおいて光放射部用の部位を別途確保する必要はない。また、光放射部は連結部の所定の板面における略全体に亘って形成されている。したがって、切断後に接着剤などを用いて連結部を外観上元に戻した場合、切断箇所を基準として発光手段側とその反対側とで光放射部における光の放射態様が変化する。つまり、後者の側の光放射部から光が放射されなくなる、又は後者の側における光放射部は前者の側における光放射部よりも光量が少なくなり光放射部全体で見て光量のムラが生じる。よって、遊技ホールの管理者等は光放射部から放射される光を確認することで各ケース体が分離されたか否かを確認することができ、不正な制御基板への交換等といった不正行為を容易に且つ確実に発見することができる。
【００３１】
なお、本構成において「光放射部」を凹凸により形成するのが好ましい。この場合、連結部内において反射する光が光放射部に到達すると、入射角が臨界角よりも小さくなることで当該光放射部を透過する、又は当該光放射部で乱反射することとなる。本構成であれば、光放射部を比較的容易に、且つ比較的低コストで形成することができる。また、上記凹凸を機械的に形成することにより、光放射部の形成をより容易に行うことができる。
【００３２】
手段９．手段８において、前記連結部の切断位置が前記結合部と前記本体部との間の連結方向の途中位置となるように規制する規制手段（第１規制部６１１、第２規制部６１２）を設けたことを特徴とする遊技機。
【００３３】
手段９によれば、連結部が切断される場合には、その連結方向の途中位置が切断される。連結部における結合部側の端部又は本体部側の端部が切断される場合を想定すると、切断後に接着剤などを用いて連結部を外観上元に戻した場合、光放射部全体で見て光量のムラが生じることはなく、遊技ホールの管理者等が光放射部から放射される光を確認したとしても、各ケース体が分離されたか否かを確認することは困難である。これに対して、本手段における構成によれば、上記のとおり連結部における連結方向の途中位置が切断されるため、光放射部全体で見て光量のムラが生じ、遊技ホールの管理者等は光放射部から放射される光を確認することで各ケース体が分離されたか否かを確認することができる。
【００３４】
手段１０．手段７乃至９のいずれかにおいて、前記発光手段は、指向性の強い光を照射するとともに、その光の照射部における前記指向性の強い光の照射方向側端部とは反対側に電気的な接続部（接続端子７２６）を有する指向性発光体（ＬＥＤ７２５）であり、
当該指向性発光体を、前記指向性の強い方向が前記制御基板の基板面に対して略直交する方向となるようにして当該制御基板に搭載し、
前記連結部を、前記指向性発光体に対して前記指向性の強い方向の延長線上において当該指向性の強い方向に延びるよう形成したことを特徴とする遊技機。
【００３５】
手段１０によれば、指向性発光体が制御基板に搭載されているため、指向性発光体用の基板を別途設ける構成に比べ、構成の簡素化を図ることができる。また、制御基板を介して指向性発光体に電力供給を行うようにすることで、指向性発光体への電力供給を円滑に行うことが可能となる。
【００３６】
また、指向性発光体は、その指向性の強い方向が制御基板の基板面に対して略直交する方向となるようにして配設されている。指向性発光体は、光の照射部における指向性の強い光の照射方向側端部とは反対側に電気的な接続部を有するため、上記のとおり配設することで、指向性発光体の制御基板への実装を比較的良好に行うことができる。
【００３７】
また、かかる構成において、連結部は指向性発光体に対してその指向性の強い方向の延長線上においてその指向性の強い方向に延びるよう形成されている。したがって、上記効果を奏しつつ連結部への光の導入を行うことができる。特に、上記手段７の構成を備え、連結部が導光板として機能する構成においては、連結部の一端側から指向性の強い光を導入するのが好ましく、本手段における構成によれば、かかる光の導入を良好に行うことができる。
【００３８】
手段１１．手段７乃至９のいずれかにおいて、前記発光手段は、発光ダイオード（ＬＥＤ７２５）であり、
当該発光ダイオードを、その指向性の強い方向が前記制御基板の基板面に対して略直交する方向となるようにして当該制御基板に搭載し、
前記連結部を、前記発光ダイオードに対して前記指向性の強い方向の延長線上において当該指向性の強い方向に延びるよう形成したことを特徴とする遊技機。
【００３９】
手段１１によれば、発光ダイオードが制御基板に搭載されているため、発光ダイオード用の基板を別途設ける構成に比べ、構成の簡素化を図ることができる。また、制御基板を介して発光ダイオードに電力供給を行うようにすることで、発光ダイオードへの電力供給を円滑に行うことが可能となる。
【００４０】
また、発光ダイオードは、その指向性の強い方向が制御基板の基板面に対して略直交する方向となるようにして配設されている。発光ダイオードは、光の照射部における指向性の強い光の照射方向側端部とは反対側に電気的な接続部を有するのが一般的であるため、上記のとおり配設することで、発光ダイオードの制御基板への実装を比較的良好に行うことができる。
【００４１】
また、かかる構成において、連結部は発光ダイオードに対してその指向性の強い方向の延長線上においてその指向性の強い方向に延びるよう形成されている。したがって、上記効果を奏しつつ連結部への光の導入を行うことができる。特に、上記手段７の構成を備え、連結部が導光板として機能する構成においては、連結部の一端側から指向性の強い光を導入するのが好ましく、本手段における構成によれば、かかる光の導入を良好に行うことができる。
【００４２】
手段１２．手段１０又は１１において、前記制御基板における前記指向性発光体又は前記発光ダイオードが搭載される基板面は、各種電子素子が搭載される素子搭載面（素子搭載面７０５ａ）であることを特徴とする遊技機。
【００４３】
手段１２によれば、指向性発光体又は発光ダイオードを各種電子素子とともに素子搭載面に集約させることができるため、制御基板の構成を好適なものとすることができる。
【００４４】
手段１３．手段１２において、前記各種電子素子を収容すべく前記素子搭載面と前記本体部とを離間させるとともに、当該本体部から外方に延びるよう前記連結部を形成し、
前記本体部には、前記連結部側から前記指向性発光体又は前記発光ダイオード側に向けて真直ぐ延び、前記指向性発光体又は前記発光ダイオードからの光を前記連結部に導入する光導入部（光導入部７２１）を設けたことを特徴とする遊技機。
【００４５】
手段１３によれば、素子搭載面と本体部とが離間され、当該本体部から外方に延びるよう連結部が形成された構成においては、指向性発光体又は発光ダイオードと連結部とが離間されることとなる。この場合に、本体部には指向性発光体又は発光ダイオードからの光を連結部に導入する光導入部が設けられているので、連結部への光の導入を確実に行うことができる。
【００４６】
手段１４．手段１乃至９のいずれかにおいて、前記発光手段を前記制御基板に搭載したことを特徴とする遊技機。
【００４７】
手段１４によれば、発光手段が制御基板に搭載されているため、発光手段用の基板を別途設ける構成に比べ、構成の簡素化を図ることができる。また、発光手段に対して制御基板を介して電力供給を行うようにすることで、発光手段への電力供給を円滑に行うことが可能となる。
【００４８】
手段１５．手段１４において、前記発光手段は、指向性の強い光を照射するとともに、その光の照射部における前記指向性の強い光の照射方向側端部とは反対側に電気的な接続部（接続端子７２６）を有する指向性発光体（ＬＥＤ７２５）であり、
当該指向性発光体を、その指向性の強い方向が前記制御基板の基板面に対して略直交する方向となるようにして当該制御基板に搭載し、
前記解除部を、前記指向性発光体に対して前記指向性の強い方向の延長線上に配置したことを特徴とする遊技機。
【００４９】
手段１５によれば、発光手段として指向性発光体が設けられており、当該指向性発光体はその指向性の強い方向が制御基板の基板面に対して略直交する方向となるようにして配設されている。指向性発光体は、光の照射部における指向性の強い光の照射方向側端部とは反対側に電気的な接続部を有するため、上記のとおり配設することで、指向性発光体の制御基板への実装を比較的良好に行うことができる。
【００５０】
また、かかる構成において、解除部は指向性発光体に対してその指向性の強い方向の延長線上に配置されている。したがって、上記効果を奏しつつ解除部への光の導入を行うことができる。
【００５１】
手段１６．手段１４において、前記発光手段は、発光ダイオード（ＬＥＤ７２５）であり、
当該発光ダイオードを、その指向性の強い方向が前記制御基板の基板面に対して略直交する方向となるようにして当該制御基板に搭載し、
前記解除部を、前記発光ダイオードに対して前記指向性の強い方向の延長線上に配置したことを特徴とする遊技機。
【００５２】
手段１６によれば、発光手段として発光ダイオードが設けられており、当該発光ダイオードはその指向性の強い方向が制御基板の基板面に対して略直交する方向となるようにして配設されている。発光ダイオードは、光の照射部における指向性の強い光の照射方向側端部とは反対側に電気的な接続部を有するのが一般的であるため、上記のとおり配設することで、発光ダイオードの制御基板への実装を比較的良好に行うことができる。
【００５３】
また、かかる構成において、解除部は発光ダイオードに対してその指向性の強い方向の延長線上に配置されている。したがって、上記効果を奏しつつ解除部への光の導入を行うことができる。
【００５４】
手段１７．手段１５又は１６において、前記制御基板における前記指向性発光体又は前記発光ダイオードが搭載される基板面は、各種電子素子が搭載される素子搭載面（素子搭載面７０５ａ）であることを特徴とする遊技機。
【００５５】
手段１７によれば、指向性発光体又は発光ダイオードを各種電子素子とともに素子搭載面に集約させることができるため、制御基板の構成を好適なものとすることができる。
【００５６】
手段１８．分離可能な複数のケース体（ボックスベース２８０、ボックスカバー２９０）と、これら複数のケース体により形成される内部空間内に収容される制御基板（主制御基板２７１）とを有する制御基板装置（主制御装置２７０）を備えた遊技機において、
前記各ケース体の分離に際して切断される切断部（本体側連結部２９５）を有し、当該切断部の切断箇所により分離が行われたことの痕跡を残す封印手段（ベース側結合部２８６、カバー側結合部２９４）を設け、
さらに、前記切断部を、透明性を有する導光体を用いて構成するとともに、
当該切断部に光を導入する発光手段（ＬＥＤ３００ａ）を設けたことを特徴とする遊技機。
【００５７】
手段１８によれば、各ケース体の分離が行われた場合には、封印手段の切断部が切断されることで分離が行われたことの痕跡が残る。この場合に、封印手段の切断部は透明性を有する導光体を用いて構成されており、発光手段から照射された光は切断部に導入される。したがって、各ケース体を分離させるべく切断部を切断した場合には、仮に接着剤などを用いて切断部を外観上元に戻しておいたとしても切断箇所は残り、切断部における光の伝わり方が変化する。つまり、切断部内を反射しながら進む光は切断箇所にて入射角が変化し、その位置にて切断部の外部に放射されることとなる。よって、遊技ホールの管理者等は切断部を目視し切断部の切断に伴う光を確認することで各ケース体が分離されたことを把握することができ、不正な制御基板への交換等といった不正行為を容易に且つ確実に発見することができる。
【００５８】
なお、「前記切断部を、透明性を有する導光体を用いて構成する」とは、切断部を透明性を有する材料により形成する構成、又は切断部に対して導光体を埋設、若しくは固着する構成が考えられる。
【００５９】
また、上記手段２乃至１７のいずれかを本手段１８に対して適用することで、本発明はより効果的なものとなる。但し、上記手段２乃至１７のいずれかを適用する場合には、「解除部」を「切断部」に代えて適用する。
【００６０】
手段１９．分離可能な複数のケース体（ボックスベース５５２、ボックスカバー５５３）と、これら複数のケース体により形成される内部空間内に収容される制御基板（主制御基板５５５）とを有する制御基板装置（主制御装置５５１）を備えた遊技機において、
前記ケース体からの前記制御基板の分離を阻止するとともに、解除部（第１脚部５６３）が切断されることでその分離阻止を解除する分離阻止手段（分離阻止部材５６１）を設け、
さらに、前記解除部を、透明性を有する導光体を用いて構成するとともに、
当該解除部に光を導入する発光手段（ＬＥＤ５７１）を設けたことを特徴とする遊技機。
【００６１】
手段１９によれば、分離阻止手段が設けられていることによりケース体からの制御基板の分離が阻止され、制御基板を不正な基板に交換しようとする行為が抑制される。この場合に、分離阻止手段の解除部は透明性を有する導光体を用いて構成されており、発光手段から照射された光は解除部に導入される。したがって、制御基板を分離させるべく解除部を切断した場合には、仮に接着剤などを用いて解除部を外観上元に戻しておいたとしても切断箇所は残り、解除部における光の伝わり方が変化する。つまり、解除部内を反射しながら進む光は切断箇所にて入射角が変化し、その位置にて解除部の外部に放射されることとなる。よって、遊技ホールの管理者等は解除部を目視し当該解除部の切断に伴う光を確認することで制御基板が分離されたことを把握することができ、不正な制御基板への交換等といった不正行為を容易に且つ確実に発見することができる。
【００６２】
なお、解除部を積極的に設けることにより、遊技ホールなどにおいて解除部を切断することで制御基板のメンテナンスなどを行うことが可能となる。
【００６３】
また、「前記解除部を、透明性を有する導光体を用いて構成する」とは、解除部を透明性を有する材料により形成する構成、又は解除部に対して導光体を埋設、若しくは固着する構成が考えられる。
【００６４】
手段２０．手段１９において、前記分離阻止手段には、前記解除部に導入された光を透過させて又は乱反射させて放射する光放射部（凹凸部５６５ｂ）を設けたことを特徴とする遊技機。
【００６５】
手段２０によれば、発光手段から解除部に導入された光は光放射部にて放射される。この場合に、制御基板を分離させるべく解除部を切断した場合には、仮に接着剤などを用いて解除部を外観上元に戻しておいたとしても切断箇所は残り、光放射部にて光が放射されなくなる、又は光放射部から放射される光量が少なくなる。よって、遊技ホールの管理者等は光放射部から放射される光を確認することで制御基板が分離されたか否かを確認することができ、不正な制御基板への交換等といった不正行為を容易に且つ確実に発見することができる。
【００６６】
手段２１．手段１９又は２０において、前記制御基板を、その素子搭載面（素子搭載面５５５ａ）が前記分離阻止手段によって分離が阻止される特定のケース体（ボックスカバー５５３）側を向くようにして配設するとともに、前記制御基板と前記特定のケース体とによって形成される空間内に各種素子（ＣＰＵチップ５５６）が収容される構成としたことを特徴とする遊技機。
【００６７】
手段２１によれば、制御基板をケース体から分離させない限り、制御基板の素子搭載面に搭載された各種素子が露出されない。そして、上記手段１９の構成を備え分離阻止手段が設けられていることにより、制御基板に搭載されたＲＯＭ等を不正なものへ交換しようとする行為が抑制される。
【００６８】
この場合に、上記手段１９の構成を備え、制御基板が分離された場合には、解除部の切断箇所にて光が放射される。よって、遊技ホールの管理者等は解除部を目視し当該解除部の切断に伴う光を確認することで制御基板が分離されたことを把握することができ、不正なチップへの交換等といった不正行為を容易に且つ確実に発見することができる。また、上記手段２０の構成を備えた場合には、制御基板が分離されると、光放射部から光が放射されなくなる、又は光放射部から放射される光量が少なくなる。よって、遊技ホールの管理者等は光放射部から放射される光を確認することで制御基板が分離されたか否かを確認することができ、不正なチップへの交換等といった不正行為を容易に且つ確実に発見することができる。
【００６９】
手段２２．手段１９乃至２１のいずれかにおいて、前記分離阻止手段は、前記制御基板に分離困難又は不可な状態で固定される脚部（脚部５６２）と、当該脚部に対して連続して形成され前記内部空間の外側にある頭部（頭部５６５）とを備え、
前記解除部は、前記脚部における前記頭部側の端部であって、前記ケース体に形成された貫通孔（貫通孔５５３ｂ）を介して前記内部空間の外側に突出する部位であり、
前記頭部を、前記貫通孔を貫通不能な大きさに形成するとともに、当該頭部に、前記解除部に導入された光を透過させて又は乱反射させて放射する光放射部（凹凸部５６５ｂ）を形成したことを特徴とする遊技機。
【００７０】
手段２２によれば、解除部を切断することなくケース体から制御基板を分離しようとしたとしても、ケース体における貫通孔の周縁部に分離阻止手段の頭部が当たり、制御基板の分離が不可となる。また、分離阻止手段は脚部を介して制御基板に対して分離困難又は不可な状態で固定されている。よって、制御基板を分離させるためには脚部における解除部の部位を切断する必要が生じる。そして、この解除部の部位が切断された場合には、接着剤などを用いて解除部を外観上元に戻しておいたとしても切断箇所は残り、頭部に形成された光放射部に光が到達しない、又は到達する光の量が少なくなる。したがって、光放射部から光が放射されなくなる、又は光放射部から放射される光量が少なくなり、遊技ホールの管理者等は光放射部から放射される光を確認することで制御基板が分離されたか否かを確認することができる。
【００７１】
手段２３．手段２２において、前記制御基板に前記発光手段を配設し、
前記脚部は、前記制御基板に固定される固定部（第２脚部５６４の先端部５６７）と、前記発光手段からの光が導入される光導入部（第１脚部５６３の先端部５６６）とを備えたことを特徴とする遊技機。
【００７２】
手段２３によれば、脚部に固定部と光導入部とが設けられていることにより、脚部を制御基板に対して分離困難又は不可な状態で固定しつつ、頭部に形成された光放射部に光を導入することができる。また、制御基板に発光手段を配設することで、発光用基板を別途設ける必要がなくなる。
【００７３】
手段２４．手段２３において、前記脚部は、前記頭部から真直ぐ延びるように設けられ前記解除部及び前記光導入部が形成される第１脚部（第１脚部５６３）と、当該第１脚部から分岐させて設けられ前記固定部が形成される第２脚部（第２脚部５６４）とを備えたことを特徴とする遊技機。
【００７４】
手段２４によれば、光導入部が頭部から真直ぐ延びる第１脚部に形成されているので、頭部に形成された光放射部に発光手段からの光が導入され易くなる。
【００７５】
手段２５．分離可能な複数のケース体（ボックスベース５５２、ボックスカバー５５３）と、これら複数のケース体により形成される内部空間内に収容される制御基板（主制御基板５５５）とを有する制御基板装置（主制御装置５５１）を備えた遊技機において、
前記ケース体からの前記制御基板の分離に際して切断される切断部（第１脚部５６３）を有し、当該切断部の切断箇所により分離が行われたことの痕跡を残す封印手段（分離阻止部材５６１）を設け、
さらに、前記切断部を、透明性を有する導光体を用いて構成するとともに、
当該切断部に光を導入する発光手段（ＬＥＤ５７１）を設けたことを特徴とする遊技機。
【００７６】
手段２５によれば、ケース体からの制御基板の分離が行われた場合には、封印手段の切断部が切断されることで分離が行われたことの痕跡が残る。この場合に、封印手段の切断部は透明性を有する導光体を用いて構成されており、発光手段から照射された光は切断部に導入される。したがって、制御基板を分離させるべく切断部を切断した場合には、仮に接着剤などを用いて切断部を外観上元に戻しておいたとしても切断箇所は残り、切断部における光の伝わり方が変化する。つまり、切断部内を反射しながら進む光は切断箇所にて入射角が変化し、その位置にて切断部の外部に放射されることとなる。よって、遊技ホールの管理者等は切断部を目視し切断部の切断に伴う光を確認することで制御基板が分離されたことを把握することができ、不正な制御基板への交換等といった不正行為を容易に且つ確実に発見することができる。
【００７７】
なお、「前記切断部を、透明性を有する導光体を用いて構成する」とは、切断部を透明性を有する材料により形成する構成、又は切断部に対して導光体を埋設、若しくは固着する構成が考えられる。
【００７８】
また、上記２０乃至２４のいずれかを本手段２５に対して適用することで、本発明はより効果的なものとなる。但し、上記手段２０乃至２４のいずれかを適用する場合には、「解除部」を「切断部」に代えて適用する。
【００７９】
手段２６．手段１乃至２５のいずれかにおいて、遊技機の電源がオンとなっている間は前記発光手段から光が照射されるようにしたことを特徴とする遊技機。
【００８０】
手段２６によれば、遊技機の電源がオンとなっている間は発光手段から光が照射されるため、遊技ホールの管理者等は、各ケース体が分離されたか否か、又はケース体から制御基板が分離されたか否かを、遊技機の電源がオンとなっている間はいつでも確認することができる。また、当該確認を行うに際して、特別な操作を要することはなく、当該確認作業の作業性を向上させることができる。
【００８１】
手段２７．手段１乃至２６のいずれかにおいて、前記発光手段を、前記複数のケース体により形成される内部空間内に収容したことを特徴とする遊技機。
【００８２】
手段２７によれば、発光手段がケース体により保護され、遊技機のメンテナンス時などにおいて発光手段が破損することが防止される。
【００８３】
手段２８．手段１乃至２７のいずれかにおいて、遊技球が流下する遊技領域（遊技盤３０の前面）と、当該遊技領域に遊技球を打ち出すべく操作される発射操作手段（遊技球発射ハンドル１８）とを備え、
前記遊技領域に設けられた入球部（一般入賞口３１、可変入賞装置３２、作動口３３）に遊技球が入球することにより遊技者に特典が付与される構成とし、
前記入球部に遊技球が入球したか否かの入球判定を行う入球判定手段を備えた制御基板を有する制御基板装置（主制御装置２７０，５５１）に対して前記分離阻止手段及び前記発光手段を設けたことを特徴とする遊技機。
【００８４】
手段２８によれば、いわゆるパチンコ機における入球判定手段を備えた制御基板に対して上記手段１乃至２７のいずれかの効果を享受することができる。即ち、制御基板に対して不正を行い、入球部に遊技球が入球していないにも関わらず特典を得ようとする不正行為を抑制することができる。
【００８５】
なお、所定の入球部に遊技球が入球することにより抽選を行い、抽選の結果、当選となった場合に特別遊技状態を発生させる遊技機においては、制御基板は抽選手段を備える。この場合、上記手段１乃至２７のいずれかの構成を備えていることにより、不正に特別遊技状態を発生させようとする行為を抑制することができる。
【００８６】
手段２９．手段１乃至２７のいずれかにおいて、複数の絵柄を可変表示する絵柄表示装置と、前記絵柄の可変表示を開始させるべく操作される始動操作手段と、前記絵柄の可変表示を停止させるべく操作される停止操作手段とを備え、
前記絵柄の可変表示の停止後に予め定められた有効位置に前記絵柄によって形成される特定絵柄又は特定絵柄の組合せが成立していた場合には遊技者に特典が付与される構成とし、
前記特定絵柄又は前記特定絵柄の組合せを成立させることが可能か否かの抽選を行う抽選手段を備えた制御基板を有する制御基板装置に対して前記分離阻止手段及び前記発光手段を設けたことを特徴とする遊技機。
【００８７】
手段２９によれば、始動操作手段及び停止操作手段が遊技者によって積極操作される遊技機における抽選手段を備えた制御基板に対して上記手段１乃至２７のいずれかの効果を享受することができる。即ち、制御基板に対して不正を行い、特定絵柄又は特定絵柄の組合せを成立させることが可能とする役に当選するようにして特典を得ようとする不正行為を抑制することができる。
【００８８】
手段３０．手段２８又は２９において、遊技媒体の払い出しを行う払出手段（払出装置３５８）を備え、前記特典として前記払出手段により遊技媒体の払い出しを行う構成とし、前記払出手段を制御する払出制御手段を備えた制御基板を有する制御基板装置（払出制御装置３１１）に対して前記分離阻止手段及び前記発光手段を設けたことを特徴とする遊技機。
【００８９】
手段３０によれば、払出制御手段を備えた制御基板に対して上記手段１乃至２７のいずれかの効果を享受することができる。即ち、制御基板に対して不正を行い、遊技媒体の払い出しを受けようとする不正行為を抑制することができる。
【００９０】
（第１の実施の形態）
以下、パチンコ遊技機（以下、「パチンコ機」という）に関する第１の実施の形態を、図面に基づいて詳細に説明する。図１はパチンコ機１０の正面図、図２はパチンコ機１０の主要な構成を展開又は分解して示す斜視図、図３はパチンコ機１０を構成する本体枠１２の前面構成を示す正面図である。なお、図２、図３では便宜上、パチンコ機１０の遊技領域内の構成を空白としている。
【００９１】
図１〜図３に示すように、パチンコ機１０は、当該パチンコ機１０の外殻を形成する外枠１１を備えている。外枠１１は、遊技ホールへの設置の際に、いわゆる島設備に取り付けられる。外枠１１は、木製の板材を全体として矩形枠状に組み合わせた状態とされ、各板材を小ネジ等の離脱可能な締結部材により固定することによって構成されている。外枠１１を合成樹脂やアルミニウム等の金属によって構成することも可能である。
【００９２】
外枠１１の一側部には、本体枠１２が開閉可能に支持されている。その開閉軸線はパチンコ機１０の正面からみて左側に上下へ延びるように設定されており、その開閉軸線を軸心にして本体枠１２が前方側に開放できるようになっている。本体枠１２は合成樹脂、具体的にはＡＢＳ樹脂により構成されている。
【００９３】
本体枠１２の前面側の下部位置には、前面板１４が設けられている。前面板１４は横長状に形成され、その横幅は本体枠１２の横幅とほぼ一致するように構成されている。前面板１４は、幅方向ほぼ中央部において手前側へ膨出した膨出部１５ａを有するベース部１５と、ベース部１５の膨出部１５ａ内側に設けられ下方にくぼんだ皿形状をなす球受皿としての下皿１６と、下皿１６の奥側の壁面を構成する奥壁パネル１７とを備えている。ベース部１５は本体枠１２に対してネジ等の締結部材により固定されていることから、ベース部１５が本体枠１２に対する取付部を構成している。ベース部１５には膨出部１５ａよりも右方に、手前側へ突出するようにして遊技球発射ハンドル１８が設けられている。奥壁パネル１７には球排出口１７ａが設けられており、球排出口１７ａより排出された遊技球が下皿１６内に貯留されるようになっている。
【００９４】
ベース部１５の膨出部１５ａ前面側にはスライド式の球抜きレバー１９が設けられている。そして、球抜きレバー１９が操作されると下皿１６の底面に設けられた図示しない閉鎖板が一体に又はリンクを介して移動して球抜き穴が開放され、下皿１６内の貯留球が下方に排出されるよう構成されている。奥壁パネル１７の球排出口１７ａとは異なる位置には、多数の小孔が集合したスピーカカバー部１７ｂが形成されており、当該パネル１７の後方に設置されたスピーカ２０の出力音がスピーカカバー部１７ｂを通じて前方に発せられるようになっている。
【００９５】
本体枠１２の前面側の前面板１４を除く範囲には、本体枠１２を覆うようにして前面扉としての前扉枠１３が設けられている。従って、前面板１４と前扉枠１３とにより本体枠１２の前面側全体が覆われている。前扉枠１３は、本体枠１２に対して開閉可能に取り付けられており、本体枠１２と同様、パチンコ機１０の正面からみて左側に上下に延びる開閉軸線を軸心にして前方側に開放できるようになっている。
【００９６】
前扉枠１３の下部位置には、下皿１６の上方において手前側へ膨出した膨出部２２が設けられ、その膨出部２２内側には上方に開口した上皿２３が設けられている。上皿２３は、後述する払出装置より払い出された遊技球を一旦貯留し、一列に整列させながら遊技球発射装置側へ導くための球受皿である。膨出部２２前面側には上皿２３用の球抜きレバー２４が設けられており、この球抜きレバー２４を操作すると上皿２３の最下流部付近に設けられた球抜き通路（図示略）が開放され、上皿２３内の貯留球が下皿１６へ排出されるようになっている。
【００９７】
図３に示すように、本体枠１２は、外形が前記外枠１１とほぼ同一形状をなす樹脂ベース２５を主体に構成されており、樹脂ベース２５の中央部には略円形状の窓孔２６が形成されている。樹脂ベース２５の後側には遊技盤３０が着脱可能に装着されている。図４に示すように、遊技盤３０は略四角形状の合板よりなり、その周縁部が樹脂ベース２５の裏側に当接した状態で取着されている。すなわち、遊技盤３０はパチンコ機１０後方より取り付けられ、遊技盤３０の前面部の略中央部分だけが樹脂ベース２５の窓孔２６を通じて本体枠１２の前面側に露出した状態となっている。
【００９８】
次に、遊技盤３０の構成を図４に基づいて説明する。遊技盤３０には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。前記一般入賞口３１、可変入賞装置３２及び作動口３３に遊技球が入ると、それが後述する検出スイッチにより検出され、その検出結果に基づいて上皿２３（場合によっては下皿１６）に対し所定数の賞品球が払い出される。その他に、遊技盤３０の最下部にはアウト口３６が設けられており、各種入賞口等に入らなかった遊技球はアウト口３６を通って図示しない球排出路の方へと案内されるようになっている。また、遊技盤３０には、遊技球の落下方向を適宜分散、調整等するために多数の釘が植設されていると共に、風車３７等の各種部材（役物）が配設されている。
【００９９】
遊技盤３０の左右両側部には、組付相手である本体枠１２の左右両側からの張出領域との干渉を回避するように凹部としての切欠３８が複数箇所に形成されている。
【０１００】
可変表示ユニット３５には、作動口３３への入賞をトリガとして第１図柄（特別図柄）を変動表示する図柄表示装置４１が設けられている。可変表示ユニット３５には、図柄表示装置４１を囲むようにしてセンターフレーム４３が配設されている。このセンターフレーム４３は、その上部がパチンコ機１０前方に延出している。これにより、図柄表示装置４１の表示画面の前方を遊技球が落下していくのが防止されており、遊技球の落下により表示画面の視認性が低下するといった不都合が生じない構成となっている。センターフレーム４３の上部中央には、第１特定ランプ部４７及び第２特定ランプ部４８が横並びの状態で設けられている。また、これら両特定ランプ部４７，４８が配設された領域を挟むように、第１特定ランプ部４７及び図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、図柄表示装置４１の一部で変動表示される構成等であっても良い。センターフレーム４３の下部には、第２特定ランプ部４８に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、図柄表示装置４１の一部で変動表示される構成等であっても良い。
【０１０１】
図柄表示装置４１は８インチサイズの液晶ディスプレイを備えた液晶表示装置として構成されており、後述する表示制御装置により表示内容が制御される。図柄表示装置４１には、例えば左、中及び右に並べて第１図柄が表示され、これらの図柄が上下方向にスクロールされるようにして変動表示されるようになっている。そして、予め設定されている有効ライン上に所定の図柄の組合せが停止表示された場合には、大当たり発生となると共にそれ以降の遊技状態が特別遊技状態としての大当たり状態に移行することとなる。この図柄の変動表示については、後に詳細に説明することとする。
【０１０２】
第１特定ランプ部４７には、その内側に赤、緑、青の３色発光タイプのＬＥＤランプが配設されている。そして、作動口３３への入賞をトリガとして、所定の順序で発光色の切り替えが行われる。具体的には、作動口３３への入賞をトリガとして、赤色光が点灯され、その状態で所定時間が経過すると緑色光に発光色が切り替えられる。そして、緑色光が点灯された状態で前記所定時間が経過すると青色光に発光色が切り替えられる。その後、発光色の切り替え停止時期がくるまで、赤色、緑色、青色という順序で発光色の切り替えが繰り返し行われる。これにより、第１特定ランプ部４７には、赤色、緑色、青色が、この順序で繰り返し表示されることとなる。そして、最終的に赤色又は緑色が停止表示された場合には、大当たり発生となると共にそれ以降の遊技状態が大当たり状態に移行し、青色が停止表示された場合には、大当たり発生とならず大当たり状態に移行しない。また、本実施の形態では、最終的に赤色で停止表示された場合と、最終的に緑色で停止表示された場合とで移行する大当たり状態が異なっており、後者の方がより遊技者に有利な大当たり状態に移行する。
【０１０３】
一方、第２特定ランプ部４８には、その内側に赤、緑の２色発光タイプのＬＥＤランプが配設されている。この第２特定ランプ部４８は、スルーゲート３４の通過をトリガとして、所定の順序で発光色の切り替えが行われる。具体的には、遊技球がスルーゲート３４を通過すると、赤色光の点灯と緑色光の点灯とが交互に行われる。これにより、第２特定ランプ部４８には、赤色、緑色が交互に表示されることとなる。そして、赤色が停止表示された場合には、作動口３３に付随する電動役物が所定時間だけ開放状態となるよう構成されている。
【０１０４】
可変入賞装置３２は、通常は遊技球が入賞できない又は入賞し難い閉状態になっており、大当たり状態に移行すると遊技球が入賞しやすい所定の開放状態に切り換えられるようになっている。より詳しくは、大当たり状態に移行すると、可変入賞装置３２が所定の開放状態となり、遊技球が入賞し易い状態となる。可変入賞装置３２の開放態様としては、所定時間（例えば３０秒間）の経過又は所定個数（例えば１０個）の入賞を１ラウンドとして、可変入賞装置３２内の継続入賞口への入賞を条件として次ラウンドへの移行条件成立とし、複数ラウンド（例えば１６ラウンド）を上限として可変入賞装置３２が繰り返し開放されるものが一般的である。
【０１０５】
遊技盤３０には、遊技球発射装置から発射された遊技球を遊技盤３０上部へ案内するためのレール部材としてのレールユニット５０が取り付けられており、遊技球発射ハンドル１８の回動操作に伴い発射された遊技球はレールユニット５０を通じて所定の遊技領域に案内されるようになっている。レールユニット５０は、内外二重に設けられた内レール部５１と外レール部５２とを有する。内レール部５１は上方の約１／４ほどを除いて略円環状に形成され、外レール部５２は内レール部５１の上方開放領域を囲むようにかつ内レール５１の左側部と並行するように略半円環状に形成されている。
【０１０６】
内レール部５１は、他の樹脂部分と一体成型され、遊技盤３０の面上にほぼ垂直に起立して設けられている。また、外レール部５２は、内レール部５１と同様に他の樹脂部分と一体成型され、遊技盤３０の面上にほぼ垂直に起立して設けられた支持部５２ａを有し、その支持部５２ａの内側面に、遊技球の飛翔をより滑らかなものとするための摺動プレート５２ｂが取り付けられている。摺動プレート５２ｂは、長尺状をなすステンレス製の金属帯よりなり、複数箇所で支持部５２ａに支持されている。かかる場合、内レール部５１と外レール部５２とにより誘導レールが構成され、これら各レール部５１，５２が所定間隔を隔てて対向する部分により球案内通路が形成されている。なお、内外のレール部５１，５２が対向する部位では、遊技盤３０との当接部５３により各レール部５１，５２が連結されており、球案内通路は手前側に開放した溝状に形成されている。
【０１０７】
レールユニット５０において、前記球案内通路より遊技球が飛び出す部位（図４の左上部）には戻り球防止部材５４が取着され、該飛び出した遊技球の最大飛翔部分に対応する部位（図４の右上部）には返しゴム５５が取着されている。戻り球防止部材５４により、一旦球案内通路から遊技盤３０の上部へと飛び出した遊技球が球案内通路内に戻ってしまうといった事態が防止される。また、所定以上の勢いで発射された遊技球は返しゴム５５に当たり、遊技領域の中央寄りに跳ね返されるようになっている。
【０１０８】
レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされる。
【０１０９】
内レール部５１及び外レール部５２間の球案内通路の入口には、同球案内通路の一部を閉鎖するようにして凸部５７が形成されている。凸部５７は、内レール部５１の外周部から下方へ延びるように形成され、遊技領域まで至らず球案内通路内を逆流してくるファール球をファール球通路７６（図３参照）に導く機能を有する。遊技盤３０の右下隅部及び左下隅部は、証紙等のシールやプレートを貼着するためのスペース（図のＳａ，Ｓｂ）となっており、この貼着スペースを確保するために、フランジ５６に切欠５８ａ，５８ｂが形成されている。証紙等のシールを遊技盤３０に直接貼り付ける構成とすることで、証紙等の不正な貼り直し等が行いにくいものとなっている。
【０１１０】
遊技盤３０においてレールユニット５０よりも外方の左上部には、前後に貫通した中継端子孔５９が設けられており、この中継端子孔５９を通じて、遊技盤裏面に設置した中継端子板の接続コネクタ６０がパチンコ機１０前面側に露出されるようになっている。
【０１１１】
図３の説明に戻り、前記樹脂ベース２５において、窓孔２６（遊技盤３０）の下方には、遊技球発射装置より発射された直後に遊技球を案内するための発射レール６１が取り付けられている。発射レール６１は、その後方の金属板６２を介して樹脂ベース２５に取付固定されており、所定の発射角度（打ち出し角度）にて直線的に延びるよう構成されている。従って、遊技球発射ハンドル１８の回動操作に伴い発射された遊技球は、まずは発射レール６１に沿って斜め上方に打ち出され、その後球案内通路を通じて遊技領域に案内される。
【０１１２】
発射レール６１と球案内通路との間には所定間隔の隙間があり、この隙間より下方にファール球通路７６が設けられている。従って、仮に遊技球発射装置から発射された遊技球が戻り球防止部材５４まで至らずファール球として球案内通路内を逆戻りする場合には、そのファール球がファール球通路７６を介して下皿１６に排出される。
【０１１３】
ファール球が球案内通路内を逆流してくる際、その多くは外レール部５２に沿って流れ、外レール部５２の下端部に到達した時点で下方に落下するが、一部のファール球は球案内通路内で暴れ、内レール部５１側へ跳ね上がるものもある。この際、跳ね上がったファール球は、球案内通路入口の前記凸部５７に当たり、ファール球通路７６に誘導される。これにより、ファール球の全てがファール球通路７６に確実に案内され、ファール球と次に発射される遊技球との干渉が抑制される。
【０１１４】
また、本体枠１２の前面において発射レール６１の左側には、左右一対の排出口６６，６７が形成されると共に、その前方に、排出口６６，６７より排出された遊技球を上皿２３又は下皿１６の何れかに案内するための遊技球案内ユニット７０が取り付けられている。便宜上以下の説明では、排出口６６を第１排出口、排出口６７を第２排出口ともいう。これら排出口６６，６７は、本体枠１２の背面に設けられた遊技球分配部２４５（図１０参照）に通じており、基本的に第１排出口６６より遊技球の排出が行われ、この第１排出口６６も含め上皿２３に通じる通路が遊技球で一杯になると、第１排出口６６に代えて第２排出口６７より遊技球の排出が行われるようになっている。
【０１１５】
遊技球案内ユニット７０は、ポリカーボネート樹脂等の透明な樹脂材料により内部を視認可能に構成され、本体枠１２に対して前扉枠１３を閉鎖した状態で本体枠１２と前扉枠１３との間に収まるよう厚みが比較的薄くなるように形成されている。遊技球案内ユニット７０には、前述のファール球通路７６が一体的に形成されている。遊技球案内ユニット７０には、前記排出口６６，６７と下皿１６とを連通するための球排出通路７１が形成されている。遊技球案内ユニット７０には、本体枠１２の第１排出口６６の手前側に、上皿２３に連通する連通口７２が形成され、連通口７２を閉鎖するようにして開閉プレート７３が取り付けられている。開閉プレート７３は支軸７４により回動可能に支持され、付勢手段としてのバネ７５により連通口７２を閉鎖する位置に常時付勢されている。
【０１１６】
遊技球案内ユニット７０の上記構成によれば、前扉枠１３を開放した状態ではバネ７５の付勢力により開閉プレート７３が図示の如く起き上がり、連通口７２を閉鎖する。この状態では、第１排出口６６より排出される遊技球が球排出通路７１を通じて下皿１６に案内される。従って、連通口７２の上流側に遊技球が貯留されている状態で前扉枠１３を開放した場合、その貯留球は連通口７２よりこぼれ落ちることなく、球排出通路７１を通じて下皿１６に流下する。つまり、前飾り枠が省略され前扉枠１３に対して上皿２３が直接設けられる構成とした本パチンコ機１０にあっても、前扉枠１３の開放に際し連通口７２の上流側にある遊技球がこぼれ落ちてしまうといった不都合が防止できる。これに対し、前扉枠１３を閉鎖した状態では、前扉枠１３の裏面に設けられた球通路樋１３８（図２参照）によりバネ７５の付勢力に抗して開閉プレート７３が押し開けられる。この状態では、第１排出口６６より排出される遊技球が連通口７２を介して上皿２３に案内される。従って、連通口７２より上流側の遊技球は上皿２３に払い出される。なお、遊技球案内ユニット７０の球排出通路７１下流側には、下皿１６に排出された遊技球が一杯（満タン）になったことを検知する下皿満タンスイッチが取り付けられている。
【０１１７】
樹脂ベース２５には、窓孔２６の右下部に略四角形状の小窓７８が設けられている。従って、遊技盤３０の右下隅部スペース（図４のＳａ）に貼られた証紙等は、この小窓７８を通じて視認できるようになっている。この小窓７８から遊技盤３０上に証紙等を直接貼り付けることも可能である。
【０１１８】
樹脂ベース２５には、窓孔２６の左上部にも小窓７９が設けられている。この小窓７９は、図４で説明した遊技盤３０の中継端子孔５９に対応する位置にそれとほぼ同一の形状で設けられ、中継端子孔５９及び小窓７９を通じて、遊技盤裏面に設置した中継端子板の接続コネクタ６０が本体枠１２の前面側に露出される。かかる構成において、前扉枠１３側に設けた各種ランプに対しては、本体枠１２（樹脂ベース２５）の小窓７９より露出した接続コネクタ６０を介して電気的な接続がなされている。樹脂ベース２５の上部には、前扉枠１３の開放の状態を検出するための前扉枠開放スイッチ２７が設けられている。前扉枠開放スイッチ２７は、樹脂ベース２５の前面に出没可能なピンを有しており、本体枠１２に対して前扉枠１３を閉じた状態ではピンが押し込まれて前扉枠１３の閉鎖が検知され、本体枠１２に対して前扉枠１３を開いた状態ではピンが突出位置に戻って前扉枠１３の開放が検知されるようになっている。樹脂ベース２５の左右２カ所には、本体枠１２に対して前扉枠１３を閉じた際に前扉枠１３背面の金具類（図５に示す補強板１３１〜１３４）に接触し、且つその金具類を本体枠１２側に導通させてアース（接地）するための金属片２８ａ，２８ｂが取り付けられている。従って、金属片２８ａ，２８ｂを通じて、前扉枠１３背面の金具類が本体枠１２側の施錠装置やヒンジ金具に導通され、これら施錠装置やヒンジ金具と共にアースされる。
【０１１９】
本体枠１２の左端側（開閉軸線側）には、前扉枠１３を開閉可能に支持するための支持機構として、上下一対の支持金具８１，８２が取り付けられている。上側の支持金具８１には手前側に切欠を有する支持孔８３が設けられ、下側の支持金具８２には上方へ突出する突起軸８４が設けられている。なお、支持金具８１，８２に支持される前扉枠１３の具体的構成については後述する。また、本体枠１２の右端側（開閉軸線とは反対側）には、前扉枠１３裏面側の開放端側に設けた上下一対の鉤金具１５５，１５６（図２参照）を挿入するための挿入孔８７，８８がそれぞれ設けられている。本パチンコ機１０では、本体枠１２や前扉枠１３を施錠状態とするための施錠装置が本体枠１２の裏面側に隠れて配置される構成となっている。従って、鉤金具１５５，１５６が挿入孔８７，８８を介して施錠装置に係止されることによって、前扉枠１３が本体枠１２に対して開放不能に施錠される。
【０１２０】
本体枠１２の右下隅部には、外枠１１に対する本体枠１２の施錠及び解錠、並びに本体枠１２に対する前扉枠１３の施錠及び解錠を行うための鍵部材としてのシリンダ錠９１が設置されている。シリンダ錠９１は施錠装置に一体化されており、施錠装置のうちシリンダ錠９１だけが本体枠１２の前方に突出した状態で設けられている。この場合、シリンダ錠９１は、遊技領域の最大幅となる位置とは異なる位置に設けられている。シリンダ錠９１は、本体枠１２の施解錠と前扉枠１３の施解錠とを共に賄う機能を有しており、鍵穴に差し込んだキーを左（反時計回り方向）に回すと本体枠１２の施錠が解かれ、逆にキーを右（時計回り方向）に回すと前扉枠１３の施錠が解かれるようになっている。
【０１２１】
図２に示すように、本体枠１２には、シリンダ錠９１を囲むようにして縦長状のカバー部材９２が取り付けられている。詳細な図示は省略するが、カバー部材９２には、その上端部及び下端部に係止部（フック）が形成されている。従って、上側の係止部を本体枠１２側に係止させると共に、下側の係止部を本体枠１２と前面板１４との間に挟み込むことにより、カバー部材９２が本体枠１２に取り付けられる。前扉枠１３には、カバー部材９２の形状に合わせて切欠部１４５が形成されており、前扉枠１３を閉鎖した状態ではこの前扉枠１３と共にカバー部材９２がパチンコ機前面部を構成する。なお、前扉枠１３を閉鎖したとき、カバー部材９２に形成された鍔部が前扉枠１３により押さえられ、カバー部材９２のがたつきが防止されるようになっている。
【０１２２】
次に、前扉枠１３について図１，図５を参照しつつ説明する。なお、図５は、前扉枠１３の背面図である。
【０１２３】
前扉枠１３には遊技領域のほぼ全域を前方から視認することができるようにした視認窓としての窓部１０１が形成されている。窓部１０１は、円形に近い略楕円形状をなし、より詳しくは、その左右側の略中央部が上下側に比べて緩やかに湾曲した形状となっている。
【０１２４】
前扉枠１３の下端部における左右両側には、本体枠１２表面や遊技盤３０表面等（証紙等を含む）の一部を視認できるよう透明樹脂を取り付けた小窓１０７が設けられている。小窓１０７に取り付けられる透明樹脂は、その内部の証紙等を工場等で容易に機械読み取りできるよう平坦状に構成される。但し、小窓１０７に、内部の証紙等をホール作業者等が容易に目視できるよう拡大レンズ部を設けることも可能である。
【０１２５】
前扉枠１３にはその周囲（例えばコーナー部分）に各種ランプ等の発光手段が設けられている。これら発光手段は、大当たり状態下や所定のリーチ演出時等において点灯、点滅のように発光態様が変更制御されることにより、遊技中の演出効果を高める役割を果たす。例えば、窓部１０１の周縁に沿ってＬＥＤ等の発光手段を内蔵した環状電飾部１０２が左右対称に設けられ、環状電飾部１０２の中央であってパチンコ機１０の最上部にはＬＥＤ等の発光手段を内蔵した中央電飾部１０３が設けられている。本パチンコ機１０では、中央電飾部１０３が大当たりランプとして機能し、大当たり状態下で点灯や点滅を行うことにより大当たり状態に移行していることを報知する。また、上皿２３周りにも、同じくＬＥＤ等の発光手段を内蔵した上皿電飾部１０４が設けられている。その他、中央電飾部１０３の左右側方には、賞球払出中に点灯する賞球ランプ１０５と所定のエラー時に点灯するエラー表示ランプ１０６とがそれぞれ設けられている。
【０１２６】
前扉枠１３には、窓部１０１の下方位置に、貸球操作部１２０が配設されている。貸球操作部１２０には球貸しボタン１２１と、返却ボタン１２２と、度数表示部１２３とが設けられている。パチンコ機１０の側方に配置されたカードユニット（球貸しユニット）に紙幣やカード等を投入した状態で、貸球操作部１２０によって球貸し操作、カード返却操作及びカード度数の確認を行うことができる。すなわち、球貸しボタン１２１は、カード等（記録媒体）に記録された情報に基づいて貸出球を得るために操作されるものであり、カード等に残額が存在する限りにおいて貸出球が払い出される。返却ボタン１２２は、カードユニットに挿入されたカード等の返却を求める際に操作される。度数表示部１２３はカード等の残額情報を表示するものである。
【０１２７】
前扉枠１３の裏側には、窓部１０１を囲むようにして金属製の各種補強部材が設けられている。詳しくは、図５に示すように、前扉枠１３の裏側にあって窓部１０１の左右及び上下の外側にはそれぞれ補強板１３１，１３２，１３３，１３４が取り付けられている。これら補強板１３１〜１３４は相互に接触して連結されているが、図の左側及び上側の補強板１３２，１３３の連結部には直接の接触を避けるための樹脂パーツ１３５が介在されている。これにより、補強板１３１〜１３４による電気経路の閉じたループが切断され、ノイズの原因となる磁界の発生等が防止されている。
【０１２８】
図５の右側となる開閉軸線側の補強板１３１にはその上端部及び下端部に、本体枠１２に対する組付機構として、組付金具１５１，１５２が取り付けられている。そして、本体枠１２側の支持金具８１，８２（図３参照）に対して前扉枠１３側の組付金具１５１，１５２が取り付けられている。すなわち、下側の組付金具１５２には下面に開口する軸穴が形成されており、その軸穴に下側の支持金具８２の突起軸８４が挿入される一方、上側の組付金具１５１の軸部が上側の支持金具８１の支持孔８３に挿入されることにより、本体枠１２に対して前扉枠１３が開閉可能に支持されている。また、同補強板１３１にはその中間位置にフック状をなす係合爪１３１ａが設けられており、この係合爪１３１ａは、前扉枠１３を閉じた状態で本体枠１２の孔部１２ａ（図３参照）に挿入されるように構成されている。これにより、上皿２３を含む形態で前扉枠１３を構成し、その上下の軸支間隔を長くした本パチンコ機１０においても、中間位置における前扉枠１３の浮き上がりが防止できる。それ故、前扉枠１３を浮かしての不正行為等が抑制されるようになっている。
【０１２９】
図５の左側となる開閉軸線とは反対側の補強板１３２には鉤形状をなす上下一対の鉤金具１５５，１５６が取り付けられている。これら鉤金具１５５，１５６は、後方に延び、本体枠１２に設けた挿入孔８７，８８（図３参照）に対応するようにして設けられている。本体枠１２に対して前扉枠１３を閉鎖した際、鉤金具１５５，１５６が本体枠１２側の挿入孔８７，８８に挿入されて施錠装置により施錠状態とされるようになっている。
【０１３０】
下側の補強板１３４には、前記発射レール６１に対向する位置に樹脂ケース１３６が取り付けられている。樹脂ケース１３６には、前記貸球操作部１２０用の回路基板が収容されている。樹脂ケース１３６の背面（図５に見える面）は平坦状をなし、前扉枠１３を閉じた際に発射レール６１の側壁を構成するようになっている。故に、発射レール６１から遊技球が前方にこぼれ落ちることが防止される。
【０１３１】
下側の補強板１３４の一部を切り欠いた部位には、パチンコ機１０後方に向けて球通路樋１３８が設置されており、球通路樋１３８の少なくとも上方には、同じくパチンコ機１０後方に向けて延びる庇（ひさし）部１３９が設けられている。この場合、本体枠１２側に前扉枠１３を閉じた状態では、球通路樋１３８と庇部１３９との間に、本体枠１２側の連通口７２上辺に沿って延びる突条が入り込むようにして配置される。故に、球通路樋１３８より針金やフィルム等を侵入させて不正行為を行おうとしても、遊技領域にまで針金やフィルム等を侵入させることが非常に困難となる。結果として、針金やフィルム等を利用して行われる不正行為を防止することができる。
【０１３２】
上述した補強板１３１〜１３４はガラス支持用の金枠としての機能も兼ね備えており、これら補強板１３１〜１３４の内側が後方に折り返されてガラス保持溝が形成されている。ガラス保持溝は前後に２列形成されており、矩形状をなす前後一対のガラス１３７が各ガラス保持溝にて保持される。これにより、２枚のガラス１３７が前後に所定間隔を隔てて取着されている。
【０１３３】
前扉枠１３を閉じた状態にあっては、内外のレール部５１，５２間に形成された球案内通路の一部が前扉枠１３により覆い隠される構成となっている。それ故、球案内通路では手前側の開放部がガラス１３７で覆えない部分ができてしまう。かかる場合、例えば、遊技球発射装置より発射された遊技球が戻り球防止部材５４まで至らず戻ってくると、遊技球が球案内通路外に飛び出したり、外レール部５２とガラス１３７との間にできる隙間に挟まってしまうおそれがある。そこで本実施の形態では、前扉枠１３に、球案内通路の手前側開放部を被覆するためのレールカバー１４０を取り付けている。レールカバー１４０は略円弧状をなす板体であって、透明な樹脂により形成されている。レールカバー１４０は、その円弧形状が前記球案内通路の形状に対応しており、窓部１０１の周縁部に沿って、球案内通路の基端部から先端部近傍までの区間を覆うようになっている。特にレールカバー１４０の内径側の寸法・形状は内レール部５１のそれにほぼ一致する。また、レールカバー１４０の右端部（すなわち、レールカバー１４０を前扉枠１３に取着した図５の状態で右端となる部位）には、球案内通路がガラス１３７の側縁部からはみ出した部分を被覆するための被覆部１４１が設けられている。以上のレールカバー１４０の構成により、前扉枠１３が閉じられた状態においては、レールカバー１４０の裏面が球案内通路のほぼ全域を覆うこととなって、遊技球が球案内通路外に飛び出したり、外レール部５２とガラス１３７との間にできる隙間に挟まってしまうといった不具合の発生を防止することができる。
【０１３４】
また、レールカバー１４０の下部裏側には、その内側縁に沿って円弧状に延び且つ後方へ向けて突出する突条１４２が形成されている。突条１４２は、前扉枠１３が閉じられた状態において、球案内通路内に入り込んだ状態で内レール部５１に重なり合うように配置される。従って、例えば前扉枠１３と本体枠１２との隙間から針金やフィルム等を侵入させて不正行為を行おうとしても、球案内通路の内側にある遊技領域にまで針金やフィルム等を侵入させることが非常に困難となる。その結果、針金やフィルム等を利用して行われる不正行為を防止することができる。
【０１３５】
次に、パチンコ機１０の背面の構成を説明する。なお、図６はパチンコ機１０の背面図、図７はパチンコ機１０の背面構成を主要部品毎に分解して示す分解斜視図である。
【０１３６】
まず、パチンコ機１０の背面構成について全体の概要を説明する。パチンコ機１０の背面側には、各種制御装置（各種制御基板）が上下左右に並べられるようにして又は前後に重ねられるようにして配置されるとともに、遊技球を供給するための遊技球供給装置（払出機構）や樹脂製の保護カバー等が取り付けられている。本実施の形態では、各種制御装置を２つの取付台に分けて搭載して２つの制御基板ユニットを構成し、それら制御基板ユニットを個別に本体枠１２又は遊技盤３０の裏面に装着するようにしている。この場合、主制御装置２７０（主基板２８０）と音声ランプ制御装置２７２（音声ランプ制御基板）とを一方の取付台に搭載してユニット化すると共に、払出制御装置３１１（払出制御基板）、発射制御装置３１２（発射制御基板）及び電源装置３１３（電源基板）を他方の取付台に搭載してユニット化している。以下においては、便宜上、前者のユニットを「第１制御基板ユニット２０１」と称し、後者のユニットを「第２制御基板ユニット２０２」と称することとする。また、払出機構及び保護カバーも１ユニットとして一体化され、一般に樹脂部分を裏パックと称することもあるため、ここではそのユニットを「裏パックユニット２０３」と称する。各ユニット２０１〜２０３の詳細な構成については後述する。
【０１３７】
第１制御基板ユニット２０１、第２制御基板ユニット２０２及び裏パックユニット２０３は、ユニット単位で何ら工具等を用いずに着脱できるよう構成されるとともに、一部に支軸部を設けて本体枠１２又は遊技盤３０の裏面に対して展開できる構成となっている。これは、各ユニット２０１〜２０３やその他構成が前後に重ねて配置された場合に隠れた部位を容易に確認することを可能とするための工夫でもある。実際には、図８の概略図に示すように、略Ｌ字状をなす第１制御基板ユニット２０１はパチンコ機１０のほぼ中央に配置され、その下方に第２制御基板ユニット２０２が配置されている。また、第１制御基板ユニット２０１に一部重複する領域に、裏パックユニット２０３が配置されている。
【０１３８】
第１制御基板ユニット２０１にはパチンコ機１０の背面から見て左端部に支軸部Ｍ１が設けられ、その支軸部Ｍ１による軸線Ａを中心に第１制御基板ユニット２０１が回動可能となっている。また、第１制御基板ユニット２０１には、その右端部すなわち支軸部Ｍ１の反対側となる開放端側に、ナイラッチ（登録商標）等よりなる締結部Ｍ２が設けられると共に上端部に係止爪部Ｍ３が設けられており、これら締結部Ｍ２及び係止爪部Ｍ３によって第１制御基板ユニット２０１がパチンコ機１０本体の裏面に沿った状態に保持されるようになっている。また、第２制御基板ユニット２０２にはパチンコ機１０の背面から見て右端部に支軸部Ｍ４が設けられ、その支軸部Ｍ４による軸線Ｂを中心に第２制御基板ユニット２０２が回動可能となっている。また、第２制御基板ユニット２０２には、その左端部すなわち支軸部Ｍ４の反対側となる開放端側に、ナイラッチ等よりなる締結部Ｍ５が設けられており、この締結部Ｍ５によって第２制御基板ユニット２０２がパチンコ機１０本体の裏面に沿った状態に保持されるようになっている。さらに、裏パックユニット２０３にはパチンコ機１０の背面から見て右端部に支軸部Ｍ６が設けられ、その支軸部Ｍ６による軸線Ｃを中心に裏パックユニット２０３が回動可能となっている。また、裏パックユニット２０３には、その左端部すなわち支軸部Ｍ６の反対側となる開放端側にナイラッチ等よりなる締結部Ｍ７が設けられるとともに、上端部及び下端部にそれぞれ回動式の係止部Ｍ８，Ｍ９が設けられており、これら締結部Ｍ７及び係止部Ｍ８，Ｍ９によって裏パックユニット２０３がパチンコ機１０本体の裏面に沿った状態に保持されるようになっている。
【０１３９】
各ユニット２０１〜２０３を回動可能に支持する支軸部Ｍ１，Ｍ４，Ｍ６は、各ユニット２０１〜２０３をパチンコ機１０の裏面から開いた状態で容易に取り外し可能なヒンジ構造となっている。簡単に説明すると、第１制御基板ユニット２０１については、締結部Ｍ２の締結及び係止爪部Ｍ３の係止を解除すると共に、当該ユニット２０１を軸線Ａを中心に回動させて展開し、その状態で持ち上げる。これにより、裏パックユニット２０３がない前提であれば、第１制御基板ユニット２０１を取り外すことができる。また、第２制御基板ユニット２０２については、締結部Ｍ５の締結を解除すると共に、当該ユニット２０２を軸線Ｂを中心に回動させて展開し、その状態で持ち上げる。これにより、第２制御基板ユニット２０２を取り外すことができる。さらに、裏パックユニット２０３については、締結部Ｍ７の締結及び係止部Ｍ８，Ｍ９の係止を解除すると共に、当該ユニット２０３を軸線Ｃを中心に回動させて展開し、その状態で持ち上げる。これにより、裏パックユニット２０３を取り外すことができる。
【０１４０】
ここで、各ユニット２０１〜２０３の展開方向は同一でなく、第１制御基板ユニット２０１は、パチンコ機１０の背面から見て左開きになるのに対し、第２制御基板ユニット２０２及び裏パックユニット２０３は、同右開きになるよう構成されている。この場合、第１制御基板ユニット２０１は、裏パックユニット２０３に一部重複して設けられるため、裏パックユニット２０３を開かないことには第１制御基板ユニット２０１を取り外すことが不可能であり、さらに言うと、第１制御基板ユニット２０１及び裏パックユニット２０３が各々逆方向に展開する構成であるため、裏パックユニット２０３を所定角度以上に大きく開いた状態又は同ユニット２０３を取り外した状態でなければ第１制御基板ユニット２０１を取り外すことが不可能である。従って、第１制御基板ユニット２０１を取り外すことに着目すると、他のユニット２０２，２０３に比べて取り外しが困難な構成となっている。さらに、施錠装置をキー操作して外枠１１に対して本体枠１２を開放しなければ、裏パックユニット２０３を開くことができない構成となっているため、より一層第１制御基板ユニット２０１の取り外しが困難なものとなっている。より具体的な構成については後述する。
【０１４１】
次に、本体枠１２及び遊技盤３０の裏面構成を説明する。なお、図９は本体枠１２に遊技盤３０を組み付けた状態でかつ前記各ユニット２０１〜２０３等を取り外した状態の構成を示す背面図、図１０は本体枠１２を後方より見た斜視図、図１１は遊技盤３０を後方より見た斜視図である。
【０１４２】
遊技盤３０は、樹脂ベース２５に囲まれた四角枠状の設置領域に裏面側より設置され、本体枠１２に設けられた複数（本実施の形態では４カ所）の係止固定具２１１，２１２によって後方へ脱落しないように固定されている。係止固定具２１１，２１２は手動で回動操作することができ、固定位置（ロック位置）と固定解除位置（アンロック位置）とに切り換えることができるよう構成されている。図９にはロック状態を示す。左右３カ所の係止固定具２１１は金属片を折り曲げ形成したＬ型の金具であり、遊技盤３０の固定状態で本体枠１２の外方へ張り出さないよう構成されている。なお、下部１カ所の係止固定具２１２は合成樹脂製のＩ型の留め具である。
【０１４３】
遊技盤３０の中央に配置される可変表示ユニット３５には、センターフレーム４３（図４参照）を背後から覆う合成樹脂製のフレームカバー２１３が後方に突出して設けられており、そのフレームカバー２１３の後端に、図柄表示装置４１と表示制御手段としての表示制御装置２１４とが前後に重ねられた状態で着脱可能に取り付けられている。フレームカバー２１３内には、センターフレーム４３に内蔵されたＬＥＤ等を駆動するためのＬＥＤ制御基板などが配設されている。
【０１４４】
遊技盤３０の裏面には、可変表示ユニット３５を取り囲むようにして集合板ユニット２１５が設けられている。集合板ユニット２１５は、薄板状の枠体として例えばＡＢＳ樹脂等の合成樹脂により成形されるベースを有し、そのベース面が遊技盤３０の裏面に当接されるようにして取り付けられている。集合板ユニット２１５には、各種入賞口に入賞した遊技球を回収するための遊技球回収機構や、各種入賞口等への遊技球の入賞を検知するための入賞検知機構などが設けられている。
【０１４５】
遊技球回収機構について説明すると、集合板ユニット２１５の下方には、前記一般入賞口３１、可変入賞装置３２、作動口３３の遊技盤開口部に対応し且つ下流側で１カ所に集合する回収通路２１６が形成されている。また、遊技盤３０の下方には、本体枠１２にポリカーボネート樹脂等の合成樹脂製の排出通路盤２１７が取り付けられており、排出通路盤２１７には排出球をパチンコ機１０外部の例えば遊技ホールの島設備等へ案内するための排出通路２１８が形成されている。従って、図９に仮想線で例示するように、一般入賞口３１等に入賞した遊技球は何れも集合板ユニット２１５の回収通路２１６を介して集合し、さらに排出通路盤２１７の排出通路２１８を介してパチンコ機１０外部に排出される。なお、アウト口３６も同様に排出通路２１８に通じており、何れの入賞口にも入賞しなかった遊技球も排出通路２１８を介してパチンコ機１０外部に排出される。上記構成では、遊技盤３０の下端面を境界にして、上方に集合板ユニット２１５（回収通路２１６）が、下方に排出通路盤２１７（排出通路２１８）が設けられており、排出通路盤２１７が遊技盤３０に対して前後方向に重複していない。従って、遊技盤３０を本体枠１２から取り外す際において、排出通路盤１７が遊技盤取り外しの妨げになるといった不都合が生じることもない。
【０１４６】
なお、排出通路盤２１７は、パチンコ機１０前面の上皿２３の裏側に配置されており、上皿２３に至る球排出口（図２の球通路樋１３８）より針金やフィルム等を差し込み、さらにその針金やフィルム等を本体枠１２と排出通路盤２１７との隙間を通じて遊技領域側に侵入させるといった不正行為が考えられる。そこで、本パチンコ機１０では、図１０に示すように、排出通路盤２１７には、球通路樋１３８の上部位置に対応する高さ位置に、本体枠１２に重なり合うようにしてパチンコ機１０前方に延びるプレート２１９を設けた。従って、本体枠１２と排出通路盤２１７との隙間から針金やフィルム等を侵入させようとしてもそれがプレート２１９にて阻害され、遊技領域にまで針金やフィルム等を侵入させることが非常に困難となる。その結果、針金やフィルム等を利用して可変入賞装置３２を強制的に開放する等の不正行為を防止することができる。
【０１４７】
入賞検知機構について説明すると、集合板ユニット２１５には、遊技盤３０表側の一般入賞口３１と対応する位置に入賞口スイッチ２２１が設けられ、可変入賞装置３２と対応する位置に特定領域スイッチ２２２及びカウントスイッチ２２３が設けられている。特定領域スイッチ２２２は、可変入賞装置３２へ入賞した遊技球が特定領域に入ったことを判定するスイッチである。特定領域とはラウンドの更新可否を判定するための領域であり、Ｖゾーンとも称されている。カウントスイッチ２２３は、可変入賞装置３２に入賞した遊技球の数をカウントするスイッチである。また、作動口３３に対応する位置には作動口３３への遊技球の入賞を検知する作動口スイッチ２２４が設けられ、スルーゲート３４に対応する位置にはスルーゲート３４の遊技球の通過を検知するゲートスイッチ２２５が設けられている。入賞口スイッチ２２１及びゲートスイッチ２２５は電気配線を通じて盤面中継基板２２６に接続され、特定領域スイッチ２２２及びカウントスイッチ２２３は大入賞口中継基板２２７に接続されている。そして、盤面中継基板２２６及び大入賞口中継基板２２７が主制御装置２７０に接続されている。作動口スイッチ２２４は中継基板を介さずに直接主制御装置２７０に接続されている。その他図示は省略するが、可変入賞装置３２には、大入賞口の開閉扉を開放するための大入賞口ソレノイドと、入賞球を特定領域かその他の領域に振り分けるための振分板を駆動する入賞球振分板ソレノイドとが設けられ、作動口３３には、それに付随する電動役物を開放するための作動口ソレノイドが設けられている。
【０１４８】
上記入賞検知機構にて各々検出された検出結果は主制御装置２７０に取り込まれ、該主制御装置２７０よりその都度の入賞状況に応じた払出指令（遊技球の払出個数）が払出制御装置３１１に送信される。そして、払出制御装置３１１の出力により所定数の遊技球の払出が実行されるようになっている。
【０１４９】
集合板ユニット２１５には、その右上部に盤用外部端子板２３０が設けられている。盤用外部端子板２３０には、第１図柄の変動が停止（確定）する毎に信号出力するための出力端子と、大当たり状態又は第１図柄の変動時間短縮時に信号出力するための出力端子と、大当たり状態下で信号出力するための出力端子とが設けられている。そして、これらの出力端子を通じて、遊技ホール側の管理制御装置に対して遊技（遊技盤３０側の状態）に関する信号が出力される。盤用外部端子板２３０は、取り外し容易な状態で集合板ユニット２１５に取り付けられている。なお、図９に示すように、本体枠１２裏側の左下部には、打球槌等を備えるセットハンドル２２８及び発射モータ２２９が設けられている。
【０１５０】
集合板ユニット２１５には、第１制御基板ユニット２０１を取り付けるための取付機構が設けられている。具体的には、この取付機構として、遊技盤３０の裏面から見て左下隅部には上下方向に延びる軸受け金具２３１が設けられ、この軸受け金具２３１には同一軸線上に上下一対の軸受け孔２３１ａが形成されている。また、遊技盤３０において、軸受け金具２３１の右方には上下一対の被締結孔（具体的にはナイラッチの取付孔）２３２が設けられ、軸受け金具２３１の上方には係止爪片２３３が設けられている。
【０１５１】
本体枠１２の裏面には、第２制御基板ユニット２０２や裏パックユニット２０３を取り付けるための取付機構が設けられている。具体的には、本体枠１２にはその右端部に長尺状の軸受け金具２３５が取り付けられている。この軸受け金具２３５は補強部材としても機能する。図１２に示すように、軸受け金具２３５は遊技盤３０よりも下方へ延びる長尺板状の金具本体２３６を有し、その金具本体２３６より後方へ起立させるようにして、下部２カ所に第２制御基板ユニット２０２用の軸受け部２３７が形成されると共に、上部２カ所に裏パックユニット２０３用の軸受け部２３８が形成されている。これら軸受け部２３７，２３８にはそれぞれ同軸の軸受け孔が形成されている。なお、第２制御基板ユニット２０２用の軸受け部２３７と裏パックユニット２０３用の軸受け部２３８とを各々個別の軸受け金具で構成することも可能である。その他、第２制御基板ユニット２０２用の取付機構として、本体枠１２には、遊技盤３０設置領域よりも下方左端部に上下一対の被締結孔（具体的には、ナイラッチの取付孔）２３９が設けられている。また、裏パックユニット２０３用の取付機構として、本体枠１２には、遊技盤３０設置領域の左端部に上下一対の被締結孔（具体的には、ナイラッチの取付孔）２４０が設けられている。本体枠１２において遊技盤３０の左上方、右寄り上方及び右寄り下方の各位置には、遊技盤３０との間に裏パックユニット２０３を挟み込んで支持するための回動式の固定具２４１，２４２，２４３がそれぞれ設けられている。
【０１５２】
上記の如く本体枠１２の左右一側部（図９では右側部）には長尺状の軸受け金具２３５が設けられる一方、本体枠１２の左右他側部（図９では左側部）には施錠装置が設けられている。施錠装置は、上下方向に延び本体枠１２に固定された基枠２４７と、その基枠２４７に対して上下方向に移動可能に組み付けられた長尺状の連動杆２４８とを備え、基枠２４７の下部に前記シリンダ錠９１が一体化されている。連動杆２４８は、シリンダ錠９１の操作により上下いずれかの方向に移動する。連動杆２４８には、鉤形状をなす上下一対の鉤金具２４９が設けられており、外枠１１に対して本体枠１２を閉鎖した際には、鉤金具２４９が外枠１１側の支持金具（図示略）に係止され、施錠装置により施錠状態とされるようになっている。この場合、シリンダ錠９１の操作によって連動杆２４８が上方向に移動すると、外枠１１に対する本体枠１２の施錠が解除される。逆に、シリンダ錠９１の操作によって連動杆２４８が下方向に移動すると、本体枠１２に対する前扉枠１３の施錠が解除される。
【０１５３】
なお、本体枠１２の左右側部に軸受け金具２３５と施錠装置（基枠２４７、連動杆２４８等）とが振り分けられる上記構成において、これら軸受け金具２３５及び施錠装置（基枠２４７、連動杆２４８等）を配置するための領域を残した幅となるようにして、本体枠１２に前記遊技盤３０が取り付けられている。
【０１５４】
本体枠１２の背面における遊技盤３０の右下部には、後述する払出機構より払い出される遊技球を上皿２３、下皿１６又は排出通路２１８の何れかに振り分けるための遊技球分配部２４５が設けられている。遊技球分配部２４５は、左側の開口部２４５ａが第１排出口６６を介して上皿２３に通じ、中央の開口部２４５ｂが第２排出口６７を介して下皿１６に通じ、右側の開口部２４５ｃが排出通路２１８に通じるように、各通路が形成されている。遊技球分配部２４５は、本体枠１２に対してネジ等により強固に取り付けられている。従って、遊技球分配部２４５の設置部位における浮き上がりが防止され、隙間から針金やフィルム等を侵入させることによる不正行為が防止できるようになっている。
【０１５５】
次に、第１制御基板ユニット２０１の構成を図１３〜図１６に基づいて説明する。図１３は第１制御基板ユニット２０１の正面図、図１４は同ユニット２０１の斜視図、図１５は同ユニット２０１の分解斜視図、図１６は同ユニット２０１を裏面から見た分解斜視図である。
【０１５６】
第１制御基板ユニット２０１は略Ｌ字状をなす取付台２５１を有し、取付台２５１に主制御装置２７０と音声ランプ制御装置２７２とが搭載されている。主制御装置２７０は、遊技の主たる制御を司る主制御基板を具備しており、当該主制御基板が透明樹脂材料等よりなる被包手段としての基板ボックス２７３に収容されて構成されている。主制御装置２７０には複数のコネクタが設けられており、各コネクタにハーネスや信号線が差し込まれることで、他の基板等（払出制御基板等）との電気的な接続がなされるようになっている。なお、主制御装置２７０の詳細な構成については後に説明する。
【０１５７】
音声ランプ制御装置２７２は、例えば主制御装置２７０又は表示制御装置２１４からの指示に従い音声やランプ表示の制御を司るＣＰＵや、その他ＲＯＭ、ＲＡＭ、各種ポート等を含む音声ランプ制御基板を具備しており、音声ランプ制御基板が透明樹脂材料等よりなる基板ボックス２７５に収容されて構成されている。音声ランプ制御装置２７２上には電源中継基板２７６が搭載されており、電源装置３１３の電源が電源中継基板２７６を介して表示制御装置２１４及び音声ランプ制御装置２７２に供給されるようになっている。
【０１５８】
取付台２５１は、ポリカーボネート樹脂等の合成樹脂製であり、例えば緑や青等に着色されて不透明とされている。但し、取付台２５１は無色透明又は半透明であってもよい。取付台２５１の表面には平坦状をなす２つの基板搭載面２５２，２５３が設けられている。これら基板搭載面２５２，２５３は縦横に直交する向きに延び、前後方向に段差をもって形成されている。基板搭載面２５２の上縁部及び下縁部にはそれぞれ、基板搭載面２５２より起立した起立部２５４が一体成形されている。そして、横長の基板搭載面２５２上に主制御装置２７０が配置されると共に、縦長の基板搭載面２５３上に音声ランプ制御装置２７２が配置される。このとき、主制御装置２７０は、上下の側部が起立部２５４にて支えられる。また、音声ランプ制御装置１７２は、複数箇所でネジ等により基板搭載面２５３に固定される。
【０１５９】
ここで、図１５及び図１６に示すように、基板搭載面２５２には、左右２カ所に横長形状の貫通孔２５６が形成されている。一方、主制御装置２７０の基板ボックス２７３には、その裏面の左右２カ所に回動操作式の固定具２７７が設けられている。主制御装置２７０を基板搭載面２５２に搭載する際には、基板搭載面２５２の貫通孔２５６に固定具２７７が挿通されるように主制御装置２７０を載置し、その状態で固定具２７７を回動操作することで主制御装置２７０がロックされる。従って、主制御装置２７０は第１制御基板ユニット２０１の裏面側から固定具２７７をロック解除しなければ取り外しできないため、基板取り外し等の不正行為に対して抑止効果が得られる。
【０１６０】
また、取付台２５１において、主基板用の基板搭載面２５２の下方には、基板搭載面２５２の裏面空間に通じる開口を遮蔽するための遮蔽部２５７が設けられている。従って、基板搭載面２５２の下方より取付台２５１の裏面に手などを差し入れることが阻止され、固定具２７７のロック状態を不正に解除することができないようになっている。また、第１制御基板ユニット２０１をパチンコ機１０裏面に搭載した状態では、当該ユニット２０１の上部が裏パックユニット２０３により覆われるため、やはり取付台２５１の裏面に手などを差し入れることが阻止され、固定具２７７のロック状態を不正に解除することができないようになっている。
【０１６１】
前述した通り、第１制御基板ユニット２０１は、裏パックユニット２０３を所定角度以上に大きく開いた状態又は同ユニット２０３を取り外した状態でなければ取り外すことが不可能であり、また、施錠装置を正しくキー操作して外枠１１に対して本体枠１２を開放しなければ、裏パックユニット２０３を開くことができない構成となっている。つまり、本体枠１２を開くことができなければ、結果的に第１制御基板ユニット２０１を回動させたり取り外すことができず、ひいては主制御装置２７０の取り外しも不可能となる。それ故、主制御装置２７０の不正な載せ替えや盗難等を効果的に防止することができる。
【０１６２】
主制御装置２７０は、パチンコ機１０裏面から見て手前側に配置され、音声ランプ制御装置２７２はその奥側に配置される。この場合、基板搭載面２５２，２５３が前後方向に段差をもって形成されているため、これら基板搭載面２５２，２５３に主制御装置２７０及び音声ランプ制御装置２７２を搭載した状態において各制御装置２７０，２７２はその一部を前後に重ねて配置される。つまり、図１４等にも見られるように、主制御装置２７０はその一部（本実施の形態では１／３程度）が浮いた状態で配置される。故に、主制御装置２７０に重なる領域まで音声ランプ制御装置２７２を拡張することが可能となり、また別の見方をすれば音声ランプ制御装置２７２に重なる領域まで主制御装置２７０を拡張することが可能となり、パチンコ機１０という限られた大きさの中にあっても、各制御装置２７０，２７２の大型化に良好に対処できるとともに、各制御装置２７０，２７２を効率良く設置できる。また、第１制御基板ユニット２０１を遊技盤３０に装着した状態では、基板搭載面２５２の後方にスペースが確保され、可変入賞装置３２やその電気配線等が無理なく設置できるようになっている。なお、基板搭載面２５２の裏面には格子状のリブ２５８が設けられており、主制御装置２７０の支持強度が高められている。
【０１６３】
取付台２５１の左端面には上下一対の掛止ピン２６１が設けられており、この掛止ピン２６１を前記軸受け金具２３１に取り付けることで、第１制御基板ユニット２０１が遊技盤３０に対して回動可能に片持ち支持される。取付台２５１の右端部には前記被締結孔２３２にはめ込まれる締結具として上下一対のナイラッチ２６２が設けられている。取付台２５１の上端部には前記係止爪片２３３が係止される長孔２６３が設けられている。従って、ナイラッチ２６２を被締結孔２３２にはめ込むと共に、長孔２６３に係止爪片２３３を係止させることで、第１制御基板ユニット２０１が遊技盤３０に固定される。なお、軸受け金具２３１及び掛止ピン２６１が前記支軸部Ｍ１に、被締結孔２３２及びナイラッチ２６２が前記締結部Ｍ２に、係止爪片２３３及び長孔２６３が前記係止爪部Ｍ３に、それぞれ相当する。
【０１６４】
次に、主制御装置２７０の構成を図１７及び図１８に基づいて説明する。図１７は主制御装置２７０の正面図、図１８は主制御装置２７０の分解斜視図である。
【０１６５】
主制御装置２７０の基板ボックス２７３は、略直方体形状のボックスベース２８０と当該ボックスベース２８０の開口部を覆うボックスカバー２９０とから構成されており、それらボックスベース２８０とボックスカバー２９０とから構成される内部空間に主制御基板２７１が収容されている。
【０１６６】
主制御基板２７１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生機、時間計数や同期を図る場合などに使用されるクロックパルス発生回路等を備えている。本実施の形態では、ＣＰＵ、ＲＯＭ及びＲＡＭがＣＰＵチップ５０１に１チップ化されている。また、詳細な説明は省略するが、入出力ドライバ用ＩＣチップ５０７及びラッチ用ＩＣチップ５０８が搭載されている。
【０１６７】
主制御基板２７１は、ボックスカバー２９０に対してネジ固定されており、各種チップ５０１，５０７，５０８が搭載された素子搭載面２７１ａはボックスカバー２９０側を向いている。この場合、ネジ２８７は主制御基板２７１における素子搭載面２７１ａの反対側の面である半田面２７１ｂ側から螺着されている。また、半田面２７１ｂはボックスベース２８０側を向いている。なお、半田面２７１ｂとは、素子搭載面２７１ａに搭載される各種素子の半田付け部分が設けられる面であるが、当該半田面２７１ｂに対して回路パターンが形成されていてもよい。
【０１６８】
ボックスベース２８０及びボックスカバー２９０は、透明性を有するポリカーボネート樹脂により成型されている。なお、これらボックスベース２８０及びボックスカバー２９０を成型する材料は透明性を有する材料であれば、ポリカーボネート樹脂に限定されることはなく、例えば、アクリル樹脂などであってもよい。
【０１６９】
ボックスベース２８０には、底板部２８１の長辺側に側板部２８２が形成されており、短辺側の一側には側板部２８２に連なるようにして段差部２８３が形成されている。この段差部２８３が形成された側は、本体枠１２の回動先端側となっている。側板部２８２の先端は内側に折り曲げて形成されている。側板部２８２における段差部２８３が形成された端部とは反対側の端部は、ボックスカバー２９０をスライド装着するための装着口２８４となっている。以上の構成において、主制御装置２７０の組み立てに際しては、図１９に示すように、主制御基板２７１がネジ止めされたボックスカバー２９０を装着口２８４から挿し込み、当該ボックスカバー２９０の挿し込み方向側が段差部２８３に当たるまでスライド移動させる。
【０１７０】
ボックスベース２８０の装着口２８４側には板状部２８５が一体形成されており、当該板状部２８５に対応させてボックスカバー２９０にも板状部２９１が一体形成されている。これら板状部２８５，２９１は、金属製のネジ２７８によって連結されている。これにより、ボックスカバー２９０がボックスベース２８０に対して固定されている。また、両板状部２８５，２９１を跨ぐようにして封印シール２７９が貼り付けられている。封印シール２７９については、周知のため、説明を省略する。
【０１７１】
ボックスカバー２９０の挿し込み方向側の端部には、段差部２８３と重なるようにして延出部２９２が一体形成されている。延出部２９２は、ボックスカバー２９０における主制御基板２７１を収容する本体部２９３から延出させて形成されている。延出部２９２はボックスベース２８０の段差部２８３と共に結合手段としての結合ユニット２７４（いわゆる、カシメ構造）を構成しており、当該結合ユニット２７４によってボックスベース２８０とボックスカバー２９０とが結合され、基板ボックス２７３が封印されている。
【０１７２】
結合ユニット２７４について詳細に説明する。図２０は結合ユニット２７４による結合及びその解除の様子を説明するための説明図である。
【０１７３】
ボックスベース２８０の段差部２８３には、複数（本実施の形態では５個）の結合部２８６がボックスベース２８０の短辺方向に並設されている（以下、結合部２８６をベース側結合部２８６とも言う）。これらベース側結合部２８６に１対１で対応させて、ボックスカバー２９０の延出部２９２には、複数（本実施の形態では５個）の結合部２９４がボックスカバー２９０の短辺方向に並設されている（以下、結合部２９４をカバー側結合部２９４とも言う）。
【０１７４】
各カバー側結合部２９４は、断面が矩形の枠状となっており、連結部２９５によってボックスカバー２９０の本体部２９３に対して連結されている（以下、連結部２９５を本体側連結部２９５とも言う）。つまり、本体側連結部２９５は各カバー側結合部２９４に１対１で対応させて設けられており、各カバー側結合部２９４に比べ厚み寸法（図１７の状態で見て上下方向）が小さい薄板状に形成されている。そして、各カバー側結合部２９４と本体部２９３との間にて、板面が上下を向くようにして設けられている。この場合に、本体側連結部２９５の長さ寸法（図１７の状態で見て左右方向）は、切断工具の先端を容易に挿し込み可能な大きさとなっている。
【０１７５】
また、各カバー側結合部２９４は、隣接するカバー側結合部２９４に対して連結部２９６によって相互に連結されている（以下、連結部２９６を相互連結部２９６とも言う）。各相互連結部２９６は、各カバー側結合部２９４に比べパチンコ機１０前後方向寸法が小さい薄板状に形成されており、各カバー側結合部２９４の間にて板面が前後を向くようにして設けられている。この場合に、各相互連結部２９６には各カバー側結合部２９４間の途中位置にて長さ寸法が小さくなった短小部２９６ａが形成されている。なお、両端にある各カバー側結合部２９４は、相互連結部２９６によって延出部２９２の両端に対しても連結されている。ちなみに、上記のとおり、本体側連結部２９５により各カバー側結合部２９４の本体部２９３に対する連結が確保されているため、相互連結部２９６は必須の構成ではなく、相互連結部２９６を設けなくてもよい。
【０１７６】
各カバー側結合部２９４は対応するベース側結合部２８６上にある。そして、図２０（ａ）に示すように、ベース側結合部２８６及びカバー側結合部２９４の挿入孔２８６ａ，２９４ａに金属製の係止爪２８９を挿入することでボックスベース２８０とボックスカバー２９０とが結合されるようになっている。この場合、図２０（ｂ）に示すように、係止爪２８９の鉤状部２８９ａがベース側結合部２８６の挿入孔２８６ａに形成された鉤受け部２８６ｂに引っ掛かり、係止爪２８９を結合部２８６，２９４から抜くことが不可能な構成となっている。したがって、ボックスベース２８０とボックスカバー２９０とを分離させるには、結合処理がなされている結合部２８６，２９４の本体側連結部２９５及び相互連結部２９６を切断する必要がある。なお、相互連結部２９６に関しては短小部２９６ａを切断する。そして、これら連結部２９５，２９６を切断することで、図２０（ｃ）に示すように、ボックスカバー２９０のスライド移動が可能となる。この際、結合処理がなされていた結合部２８６，２９４に関しては、ベース側結合部２８６上にカバー側結合部２９４が残った状態となる。つまり、結合手段（封印手段又はカシメ手段とも言える）とは、ボックスベース２８０からボックスカバー２９０が分離された場合に、その痕跡を残す構造をいう。
【０１７７】
なお、上記のとおり結合部２８６，２９４の組み合わせが複数組設けられている。したがって、パチンコ機１０が多数設置された遊技ホールなどにおいては、各結合部２８６，２９４の結合処理を順次行うことで、主制御基板２７１のメンテナンス時などに基板ボックス２７３を開封したとしても、再度、ボックスベース２８０とボックスカバー２９０との結合を行うことができる。
【０１７８】
以上のとおり、ボックスベース２８０とボックスカバー２９０との分離、即ち、基板ボックス２７３の開封に際しては、結合処理がなされていた結合部２８６，２９４に対応した連結部２９５，２９６が切断されることで、その痕跡が残る。よって、遊技ホールの管理者などは、その切断された連結部２９５，２９６を目視することにより、基板ボックス２７３が不正に開封されたことを確認することができる。
【０１７９】
ただし、かかる基板ボックス２７３の開封の痕跡は連結部２９５，２９６の切断箇所として残るため、それを目視により確認するのは容易なことではない。特に、遊技ホールには多数のパチンコ機１０が配設されているため、開店前などにおいて各パチンコ機１０の主制御装置２７０を念入りにチェックするのは困難である。したがって、基板ボックス２７３が不正に開封されていたとしてもそれを見逃してしまうおそれがあり、この場合、上記結合ユニット２７４を設けた効果が消失してしまう。これに対して、本実施の形態では、連結部２９５，２９６が切断されたことを容易に確認することができる構成が設けられている。そこで、以下に、この確認容易化の構成について説明する。図２１及び図２２は、確認容易化の構成を説明するための説明図である。
【０１８０】
図２１（ａ），（ｂ）に示すように、ボックスカバー２９０の本体部２９３の内側には、延出部２９２に沿って光導入部２９７が一体形成されている。光導入部２９７は全ての本体側連結部２９５に亘ってその内側に位置するように上下方向に連続させて形成され、各本体側連結部２９５に対して本体部２９３内側に突出している。光導入部２９７における先端部には、各本体側連結部２９５の延長線上の位置に凹部２９８が形成されている。これら各凹部２９８に対してそれぞれ一のＬＥＤ３００ａが入り込むようにして、光導入部２９７にはＬＥＤ基板３００が取り付けられている。ＬＥＤ基板３００は光導入部２９７の両端側に形成されたボス２９９に対してネジ止めされている。
【０１８１】
ＬＥＤ基板３００は主制御基板２７１に接続されており、電源装置３１３から供給される電源が主制御基板２７１を介してＬＥＤ基板３００に供給される。このＬＥＤ基板３００と主制御基板２７１との接続について詳細には、ＬＥＤ基板３００のＬＥＤ非搭載面及び主制御基板２７１のＬＥＤ基板３００寄りの端部には、それぞれコネクタ部材が設けられており、これらコネクタ部材に対して電源線が接続されている（電源線の両端に設けられた各コネクタ部材がそれぞれＬＥＤ基板３００のコネクタ部材及び主制御基板２７１のコネクタ部材に接続されている）。なお、ＬＥＤ基板３００と主制御基板２７１との接続に関する構成は上記構成に限定されることはなく、ＬＥＤ基板用の接続ピンと主制御基板用の接続ピンとを有するモジュールコネクタによりＬＥＤ基板３００と主制御基板２７１とを接続するようにしてもよい。
【０１８２】
パチンコ機１０の電源がＯＮ状態の場合には、ＬＥＤ基板３００に常に電源が供給されるよう構成されており、パチンコ機１０の電源がＯＮ状態の場合には全ＬＥＤ３００ａから常に光が照射されている。本実施の形態では、ＬＥＤ３００ａから照射される光の色は、全て赤色で統一されており、さらに照射される光の強さも略同一となるように各ＬＥＤ３００ａに対する抵抗値等が設定されている。
【０１８３】
上述したように、ボックスカバー２９０は透明性を有するポリカーボネート樹脂により成型されているため、各ＬＥＤ３００ａから照射され光導入部２９７内に導入された光は基本的に光導入部２９７内で全反射を繰り返し、対応する本体側連結部２９５に向けて進む。つまり、この導入された光は、光導入部２９７の外面の法線に対して臨界角よりも大きな入射角度で当該外面に対して入射することで全反射を繰り返して進んでゆく。そして、この全反射を繰り返した光は対応する本体側連結部２９５に導入される。
【０１８４】
本体側連結部２９５の下側板面２９５ａには、その全体に亘って細かな線状の凹凸（凹凸部２９５ｂ）が形成されている。この凹凸部２９５ｂは機械的にエッチングすることで形成されている。上記のように導入された光は、図２２（ａ）に示すように、本体側連結部２９５の上側板面２９５ｃに到達した場合は全反射する。一方、下側板面２９５ａの凹凸部２９５ｂに到達すると、入射角が変化する。この入射角が変化した光は、凹凸部２９５ｂを透過したり、凹凸部２９５ｂにて乱反射することで、本体側連結部２９５の外部に放出される。これにより、本体側連結部２９５が切断されていない状態においては、当該本体側連結部２９５の全体が赤色に発光している。なお、図２２においては、本体側連結部２９５の厚み寸法に対する凹凸部２９５ｂの寸法を実際よりも大きく示している。
【０１８５】
一方、本体側連結部２９５が切断された場合には、図２２（ｂ）に示すように、本体側連結部２９５における光導入部２９７側の切断箇所にて光の入射角が変化し当該光が外部に放出され、それよりもカバー側結合部２９４側に光が進まなくなる。よって、本体側連結部２９５の全体が赤色に発光するのではなく、その一部のみが赤色に発光することとなる。
【０１８６】
以上の構成であることにより、遊技ホールの管理者等は、本体側連結部２９５の全体が赤色に発光しているか否かを確認することで、本体側連結部２９５が切断されたか否かを確認することができ、基板ボックス２７３が開封されたか否かを容易に確認することができる。また、各ＬＥＤ３００ａからは常に赤色の光が照射されており、その光の強さが略同一となるように設定されている。したがって、結合処理が施されている結合部２８６，２９４に対応した本体側連結部２９５と、結合処理が施されていない結合部２８６，２９４に対応した本体側連結部２９５とを見比べることにより、前者の本体側連結部２９５が切断されていた場合には、その確認を容易に行うことができる。
【０１８７】
次に、第２制御基板ユニット２０２の構成を図２３〜図２５に基づいて説明する。図２３は第２制御基板ユニット２０２の正面図、図２４は同ユニット２０２の斜視図、図２５は同ユニット２０２の分解斜視図である。
【０１８８】
第２制御基板ユニット２０２は横長形状をなす取付台３０１を有し、取付台３０１に払出制御装置３１１、発射制御装置３１２、電源装置３１３及びカードユニット接続基板３１４が搭載されている。払出制御装置３１１及び発射制御装置３１２は制御の中枢をなすＣＰＵや、その他ＲＯＭ、ＲＡＭ、各種ポート等を含む制御基板を具備している。払出制御装置３１１の払出制御基板により、賞品球や貸出球の払出が制御される。発射制御装置３１２の発射制御基板により、遊技者による遊技球発射ハンドル１８の操作に従い発射モータ２２９の制御が行われる。また、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、主として遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４は不要である。
【０１８９】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、主制御装置２７０と同様、被包手段を構成する基板ボックス３１５がボックスベースとボックスカバーとを備え、それらが封印手段としての封印ユニット３１９によって開封不能に連結され、これにより基板ボックス３１５が封印されている。払出制御装置３１１には状態復帰スイッチ３２１が設けられている。例えば、後述する払出モータの球詰まり等、払出エラーの発生時において状態復帰スイッチ３２１が押されると、払出モータが正逆回転され、球詰まりの解消（正常状態への復帰）が図られるようになっている。電源装置３１３にはＲＡＭ消去スイッチ３２３が設けられている。本パチンコ機１０は各種データのバックアップ機能を有しており、万一停電が発生した際でも停電時の状態を保持し、停電からの復帰（復電）の際には停電時の状態に復帰できるようになっている。従って、例えば遊技ホールの営業終了の場合のように通常手順で電源を遮断すると遮断前の状態が記憶保持されるが、ＲＡＭ消去スイッチ３２３を押しながら電源を投入すると、ＲＡＭデータが初期化されるようになっている。
【０１９０】
取付台３０１は例えば無色透明な樹脂成型品よりなり、その表面に平坦状をなす基板搭載面３０２が設けられている。基板搭載面３０２には、発射制御装置３１２、電源装置３１３及びカードユニット接続基板３１４が横並びとなった状態で搭載され、ネジ等で固定されている。電源装置３１３の基板ボックス３１７上には略平板状の台座プレート３０３が載置されるとともに台座プレート３０３上に払出制御装置３１１が搭載され、ネジ等で固定されている。払出制御装置３１１と電源装置３１３との間には台座プレート３０３が介在するため、例えばノイズ除去用の金属プレート等を設置するには台座プレート３０３に金属プレート等を取り付ければ良く、ノイズ対策が簡単に実現できる。
【０１９１】
取付台３０１には、パチンコ機１０後方からみて右端部に上下一対の掛止ピン３０５が設けられており、掛止ピン３０５を前記軸受け部２３７に上方から挿通させることで、第２制御基板ユニット２０２が本体枠１２に対して回動可能に片持ち支持される。取付台３０１の左端部には締結具として上下一対のナイラッチ３０６が設けられており、ナイラッチ３０６を前記被締結孔２３９にはめ込むことで、第２制御基板ユニット２０２が本体枠１２に固定される。なお、軸受け部２３７及び掛止ピン３０５が前記支軸部Ｍ４に、被締結孔２３９及びナイラッチ３０６が前記締結部Ｍ５に、それぞれ相当する。
【０１９２】
次に、裏パックユニット２０３の構成を図２６及び図２７に基づいて説明する。図２６は裏パックユニット２０３の正面図、図２７は裏パックユニット２０３の分解斜視図である。
【０１９３】
裏パックユニット２０３は、裏パック３５１と遊技球の払出機構部３５２とが一体化されることにより構成されている。裏パック３５１は例えばＡＢＳ樹脂等の合成樹脂により一体成型されており、略平坦状のベース部３５３と、パチンコ機１０後方に突出し横長の略直方体形状をなす保護カバー部３５４とを有する。保護カバー部３５４は左右側面及び上面が閉鎖され且つ下面のみが開放された形状をなし、少なくとも可変表示ユニット３５を囲むのに十分な大きさを有する。但し、本実施の形態では、前述の音声ランプ制御装置２７２も併せて囲む構成となっている。保護カバー部３５４の背面には多数の通気孔３５４ａが設けられている。通気孔３５４ａは各々が長孔状をなし、それぞれの通気孔３５４ａが比較的近い位置で隣り合うよう設けられている。従って、隣り合う通気孔３５４ａ間にある樹脂部分を切断することにより、裏パック３５１の背面を容易に開口させることができる。つまり、通気孔３５４ａ間の樹脂部分を切断してその内部の表示制御装置２１４等を露出させることで、所定の検定等を容易に実施することができるようになっている。
【０１９４】
裏パック３５１のベース部３５３には、保護カバー部３５４を迂回するようにして払出機構部３５２が配設されている。すなわち、裏パック３５１の最上部には上方に開口したタンク３５５が設けられており、タンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、タンクレール３５６の下流側には上下方向に延びるケースレール３５７が連結されている。払出装置３５８はケースレール３５７の最下流部に設けられ、払出制御装置３１１の制御により払出モータ３５８ａが駆動されて必要個数の遊技球の払出が適宜行われる。払出装置３５８より払い出された遊技球は払出通路３５９等を通じて前記上皿２３等に供給される。なお、図示は省略するが、ケースレール３５７の上流部には、タンク３５５やタンクレール３５６から供給される遊技球の有無を検出するタンク球無しセンサが設けられている。また、払出装置３５８には、払出モータ３５８ａの回転を検出する払出回転センサと、払い出される遊技球数をカウントする払出カウントスイッチとが設けられている。
【０１９５】
タンクレール３５６には、当該タンクレール３５６に振動を付加するためのバイブレータ３６０が取り付けられている。バイブレータ３６０は、バイブモータとそのバイブモータを収容する合成樹脂製のケースとによりユニット化されており、２本の脚部３６０ａでタンクレール３５６に取り付けられている。従って、仮にタンクレール３５６付近で球詰まりが生じた際、バイブレータ３６０が駆動されることで球詰まりが解消されるようになっている。
【０１９６】
また、払出機構部３５２には、払出制御装置３１１から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４ボルトの主電源が供給され、電源スイッチ３８２ａの切替操作により電源ＯＮ又は電源ＯＦＦとされるようになっている。
【０１９７】
タンク３５５から払出通路３５９に至るまでの払出機構部３５２は何れも導電性を有する合成樹脂材料、例えば導電性ポリカーボネート樹脂にて成形され、その一部にてアースされている。これにより、遊技球の帯電によるノイズの発生が抑制されるようになっている。
【０１９８】
裏パック３５１には、その右上部に枠用外部端子板３９０が設けられている。枠用外部端子板３９０には、タンク３５５やタンクレール３５６で遊技球が不足した場合に信号出力するための出力端子、所定個数の賞球を払い出す毎に信号出力するための出力端子、所定個数の遊技球を貸し出す毎に信号出力するための出力端子、本体枠１２の開放時に信号出力するための出力端子、及び前扉枠１３の開放時に信号出力するための出力端子が設けられている。そして、これらの出力端子を通じて、遊技ホール側の管理制御装置に対して枠側の状態に関する信号が出力される。なお、所定個数の遊技球を貸し出す毎に信号出力するための出力端子はいわゆる現金機においては不要である。
【０１９９】
裏パック３５１には、枠用外部端子板３９０に隣接して略四角形状の窓部３９１が設けられている。従って、裏パックユニット２０３を本体枠１２に取り付けた状態では、窓部３９１を通じて遊技盤３０裏面の盤用外部端子板２３０が露出し、裏パックユニット２０３を装着したままで盤用外部端子板２３０の操作を行うことができるようになっている。前述のとおり、盤用外部端子板２３０は取り外し容易な状態で集合板ユニット２１５に取り付けられていることから、盤用外部端子板２３０の配線を接続したままで、窓部３９１を介して当該盤用外部端子板２３０を取り出すことも可能となる。裏パック３５１の右上部には本体枠１２の開放の状態を検出するための本体枠開放スイッチ３９２が設けられており、外枠１１に対して本体枠１２を閉じた状態では当該スイッチ３９２の金属接点が閉じて本体枠１２の閉鎖が検知され、外枠１１に対して本体枠１２を開いた状態では金属接点が開いて本体枠１２の開放が検知されるようになっている。
【０２００】
裏パック３５１には、パチンコ機１０後方からみて右端部に上下一対の掛止ピン３８５が設けられており、掛止ピン３８５を前記軸受け部２３８に上方から挿通させることで、裏パックユニット２０３が本体枠１２に対して回動可能に片持ち支持される。裏パック３５１には、左端部に締結具として上下一対のナイラッチ３８６が設けられると共に、上端部に係止孔３８７が設けられており、ナイラッチ３８６を前記被締結孔２４０にはめ込むと共に、係止孔３８７に前記固定具２４２を挿入した上で当該固定具２４２を回動操作することで、裏パックユニット２０３が本体枠１２に固定される。また、前記固定具２４１，２４３によっても裏パックユニット２０３が本体枠１２に固定される。なお、軸受け部２３８及び掛止ピン３８５が前記支軸部Ｍ６に、被締結孔２４０及びナイラッチ３８６が前記締結部Ｍ７に、固定具２４２及び係止孔３８７が前記係止部Ｍ８に、それぞれ相当する。また、固定具２４３が前記係止部Ｍ９に相当する。
【０２０１】
次に、本パチンコ機１０の電気的構成について、図２８のブロック図に基づいて説明する。
【０２０２】
主制御装置２７０（主制御基板２７１）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、時間計数や同期を図る場合などに使用されるクロックパルス発生回路やタイマ回路、割込回路、データ送受信回路などの各種回路が内蔵されている。
【０２０３】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０２０４】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０２０５】
主制御装置２７０のＣＰＵ５０１には、アドレスバス及びデータバスで構成されるバスライン５０４を介して入出力ポート５０５が接続されている。主制御装置２７０の入力側には、後述するＲＡＭ消去スイッチ回路５４３、払出制御装置３１１や、その他図示しないスイッチ群や中継基板などが接続されている。一方、主制御装置２７０の出力側には、払出制御装置３１１や表示制御装置２１４が接続されている。また、第１特定ランプ部４７に配設されたＬＥＤランプのスイッチや第２特定ランプ部４８に配設されたＬＥＤランプのスイッチも接続されている。これにより、第１特定ランプ部４７及び第２特定ランプ部４８は、主制御装置２７０により直接的に制御されることとなる。また、上記のとおり主制御装置２７０内において主制御基板２７１とＬＥＤ基板３００とが接続されており、パチンコ機１０の電源がＯＮ状態の場合には主制御基板２７１に供給された電源がＬＥＤ基板３００に供給されている。
【０２０６】
払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０２０７】
払出制御装置３１１のＲＡＭ５１３は、主制御装置２７０のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０２０８】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置２７０のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０２０９】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２７０、発射制御装置３１２、払出モータ３５８ａなどがそれぞれ接続されている。
【０２１０】
発射制御装置３１２は、発射モータ２２９による遊技球の発射を許可又は禁止するものであり、発射モータ２２９は、所定条件が整っている場合に駆動が許可される。具体的には、払出制御装置３１１から発射許可信号が出力されていること、遊技者が遊技球発射ハンドル１８に触れていることをセンサ信号により検出していること、発射を停止させるための発射停止スイッチが操作されていないことを条件に、発射モータ２２９が駆動され、遊技球発射ハンドル１８の操作量に応じた強さで遊技球が発射される。
【０２１１】
表示制御装置２１４は、図柄表示装置４１における第１図柄（特別図柄）の変動表示を制御するものである。表示制御装置２１４は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置２７０の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には音声ランプ制御装置２７２が接続されている。また、画像コントローラ５２６にはバスライン５３１を介して出力ポート５２９が接続されており、その出力ポート５２９の出力側には図柄表示装置４１が接続されている。
【０２１２】
表示制御装置２１４のＣＰＵ５２１は、主制御装置２７０から送信される図柄表示コマンドに基づいて図柄表示装置４１の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０２１３】
ビデオＲＡＭ５２４は、図柄表示装置４１に表示される表示データを記憶するためのメモリであり、ビデオＲＡＭ５２４の内容を書き替えることにより、図柄表示装置４１の表示内容が変更される。キャラクタＲＯＭ５２５は、図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して図柄表示装置４１に表示させるものである。
【０２１４】
電源装置３１３は、パチンコ機１０の各部に電源を供給するための電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２７０や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２７０や払出制御装置３１１等に対して供給する。なお、発射制御装置３１２に対しては払出制御装置３１１を介して動作電源（＋１２Ｖ電源、＋５Ｖ電源等）が供給される。
【０２１５】
停電監視回路５４２は、停電等の発生による電源遮断時に、主制御装置２７０のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２７０及び払出制御装置３１１へ出力する。停電信号ＳＧ１の出力によって、主制御装置２７０及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置２７０及び払出制御装置３１１は、ＮＭＩ割込み処理を正常に実行し完了することができる。
【０２１６】
ＲＡＭ消去スイッチ回路５４３は、ＲＡＭ消去スイッチ３２３のスイッチ信号を取り込み、そのスイッチ３２３の状態に応じて主制御装置２７０及び払出制御装置３１１のバックアップデータをクリアするためのＲＡＭ消去信号ＳＧ２を出力する回路である。ＲＡＭ消去スイッチ３２３が押された際、ＲＡＭ消去スイッチ回路５４３は、主制御装置２７０及び払出制御装置３１１に対してＲＡＭ消去信号ＳＧ２を出力する。これにより、ＲＡＭ消去スイッチ３２３が押された状態でパチンコ機１０の電源が投入されると、主制御装置２７０及び払出制御装置３１１においてそれぞれのバックアップエリア５０３ａ，５１３ａのデータがクリアされる。
【０２１７】
以上詳述した第１の実施の形態によれば、以下の優れた効果を奏する。
【０２１８】
ボックスカバー２９０におけるカバー側結合部２９４と本体部２９３とを連結する本体側連結部２９５を、透明性を有する合成樹脂により薄板状に形成し、本体側連結部２９５の下側板面２９５ａにはその全体に亘って凹凸部２９５ｂを形成した。そして、ボックスカバー２９０の本体部２９３には、本体側連結部２９５へと続く光導入部２９７を形成し、この光導入部２９７に光を導入するＬＥＤ３００ａを設けた。このＬＥＤ３００ａから照射された光は光導入部２９７を通り、凹凸部２９５ｂから放射される。
【０２１９】
但し、基板ボックス２７３を開封すべく本体側連結部２９５を切断した場合には、仮に接着剤などを用いて本体側連結部２９５を外観上元に戻しておいたとしても切断箇所は残り、切断箇所を基準として本体部２９３側とカバー側結合部２９４側とで凹凸部２９５ｂにおける光の放射態様が変化する。つまり、カバー側結合部２９４側の凹凸部２９５ｂから光が放射されなくなる、又はカバー側結合部２９４側の凹凸部２９５ｂは本体部２９３側の凹凸部２９５ｂよりも光量が少なくなり凹凸部２９５ｂ全体で見て光量のムラが生じる。よって、遊技ホールの管理者等は凹凸部２９５ｂから放射される光を確認することで基板ボックス２７３が開封されているか否かを確認することができ、不正な基板への交換や不正なチップ（特に、ＲＯＭを含むＣＰＵチップ）への交換等といった不正行為を容易に且つ確実に発見することができる。
【０２２０】
特に、上記構成においては、解除部としての本体側連結部２９５に対して光放射部としての凹凸部２９５ｂが形成されている。したがって、ボックスカバー２９０等のケース体において光放射部用の部位を別途確保する必要はなく、構成の簡素化を図ることができる。
【０２２１】
なお、光放射部を凹凸部２９５ｂにより形成する構成とした。これにより、光放射部を比較的容易に、且つ比較的低コストで形成することができる。また、上記凹凸部２９５ｂを機械的に形成する構成とした。これにより、光放射部の形成をより容易に行うことができる。また、ＬＥＤ３００ａは点光源であるため、蛍光管などに比べ光の指向性が比較的強い。よって、発光手段としてＬＥＤ３００ａを設けることにより、本体側連結部２９５に対して光を導入し易くなっている。
【０２２２】
ベース側結合部２８６及びカバー側結合部２９４を複数組設けるとともに、各カバー側結合部２９４に対応させて本体側連結部２９５を設けた。これにより、例えば、遊技ホール等においては結合処理が行われた各結合部２８６，２９４の本体側連結部２９５を切断することで、主制御基板２７１のメンテナンスなどを行うことが可能となる。また、メンテナンス後においては未使用の各結合部２８６，２９４に対して結合処理を行うことで、再度、ボックスベース２８０に対してボックスカバー２９０を結合させることが可能となる。
【０２２３】
かかる構成において、各本体側連結部２９５に対してＬＥＤ３００ａから照射される光を導入するようにするとともに、それら導入する光の色を同一色とした。よって、遊技ホールの管理者等は結合処理を行った各結合部２８６，２９４に対応した凹凸部２９５ｂからの光の放射態様と、結合処理を行っていない各結合部２８６，２９４に対応した凹凸部２９５ｂからの光の放射態様とを比較することで、基板ボックス２７３が開封されたか否かを容易に確認することができる。
【０２２４】
特に、複数組の各結合部２８６，２９４を所定方向に並設した。これにより、遊技ホールの管理者等にとっては視点を変えることなく、結合処理を行った各結合部２８６，２９４に対応した凹凸部２９５ｂからの光の放射態様と、結合処理を行っていない各結合部２８６，２９４に対応した凹凸部２９５ｂからの光の放射態様とを視認することができる。よって、各光の放射態様の比較を容易且つ正確に行うことができる。
【０２２５】
パチンコ機１０の電源がオンとなっている間はＬＥＤ３００ａから光が照射されるようにした。これにより、遊技ホールの管理者等は、基板ボックス２７３が開封されたか否かを、パチンコ機１０の電源がオンとなっている間はいつでも確認することができる。また、当該確認を行うに際して、特別な操作を要することはなく、当該確認作業の作業性を向上させることができる。
【０２２６】
（第２の実施の形態）
本実施の形態では、主制御装置の構成が上記第１の実施の形態と異なっている。そこで、以下にかかる構成について詳細に説明する。なお、以下の説明では、上記第１の実施の形態との相違点を説明し、同一の構成については基本的に説明を省略する。図２９は本実施の形態における主制御装置５５１の斜視図、図３０は主制御装置５５１の横断面図である。
【０２２７】
主制御装置５５１は、上記第１の実施の形態における主制御装置２７０と同様に、ボックスベース５５２とボックスカバー５５３とからなる基板ボックス５５４を備えており、当該基板ボックス５５４の内部空間に主制御基板５５５が収容されている。主制御基板５５５は、上記第１の実施の形態と同様にボックスカバー５５３にネジ止めされている。この場合に、主制御基板５５５におけるＣＰＵチップ５５６などが搭載された素子搭載面５５５ａはボックスカバー５５３側を向いており、主制御基板５５５をボックスカバー５５３から分離しない限りＣＰＵチップ５５６などが露出しない構成となっている。
【０２２８】
ボックスベース５５２及びボックスカバー５５３には、それぞれ板状部５５２ａ，５５３ａが設けられており、これら板状部５５２ａ，５５３ａがネジによって締結されている。そして、板状部５５２ａ，５５３ａには、封印シール５５７が貼り付けられている。また、ボックスベース５５２とボックスカバー５５３とを結合する結合ユニット５５８が設けられており、基板ボックス５５４の開封に際しては少なくとも本体側連結部５５９の切断を要する。
【０２２９】
ただし、本実施の形態においては、本体側連結部５５９に向けて光を照射する発光手段は設けられておらず、本体側連結部５５９の切断に関して光による示唆は行われない。代わりに、ボックスカバー５５３からの主制御基板５５５の分離を阻止する分離阻止部材５６１が設けられている。そこで、以下に分離阻止部材５６１の構成について以下に説明する。
【０２３０】
分離阻止部材５６１は、透明性を有するポリカーボネート樹脂により成型されている。なお、分離阻止部材５６１を成型する材料は透明性を有する材料であれば、ポリカーボネート樹脂に限定されることはなく、例えば、アクリル樹脂などであってもよい。分離阻止部材５６１は、土台となる脚部５６２と、基板ボックス５５４の外部に露出した頭部５６５とから構成されている。脚部５６２は、頭部５６５から連続して延びる第１脚部５６３と、第１脚部５６３から分岐した第２脚部５６４とからなり、両脚部５６３，５６４は薄板状に形成されている。両脚部５６３，５６４の先端部５６６，５６７は共に素子搭載面５５５ａに接触しており、第２脚部５６４が主制御基板５５５にネジ固定されている。このネジ固定について詳細には、第２脚部５６４は主制御基板５５５の半田面５５５ｂ（つまり、素子搭載面５５５ａとは反対側の面）側から破断ネジ５６８によって固定されている。第１脚部５６３の基端側（つまり、頭部５６５との連結部側）は、ボックスカバー５５３に形成された貫通孔５５３ｂを介して外部に突出している。
【０２３１】
頭部５６５は、各脚部５６３，５６４と同様に薄板状に形成されており、板面が左右を向いている。但し、頭部５６５の幅寸法は第１脚部５６３の幅寸法よりも広く確保されており、さらにはボックスカバー５５３に形成された貫通孔５５３ｂの幅寸法よりも広く確保されている。つまり、頭部５６５の幅寸法Ｘ１と貫通孔５５３ｂの幅寸法Ｘ２とは、Ｘ１＞Ｘ２の関係にある。
【０２３２】
かかる構成であることにより、ボックスカバー５５３から主制御基板５５５を分離させようとしても、頭部５６５がボックスカバー５５３における貫通孔５５３ｂの周縁部に引っ掛かり、分離が不可となる。また、上記のとおり、第２脚部５６４は破断ネジ５６８によって主制御基板５５５に対して固定されているため、その固定を解除することはできない。したがって、ボックスカバー５５３から主制御基板５５５を分離させるためには、第１脚部５６３におけるボックスカバー５５３の貫通孔５５３ｂから突出した部位を切断し、頭部５６５を切除する必要が生じる。
【０２３３】
パチンコ機１０においては、主制御基板５５５を不正基板に交換し不正に利益を得ようとする行為が想定される。これに対して、上記のとおり、分離阻止部材５６１が設けられていることにより、遊技ホールの管理者等は分離阻止部材５６１の頭部５６５が切除されているか否かを確認することで、かかる不正行為が行われたか否かを確認することが可能となる。また、主制御基板５５５に搭載されたＣＰＵチップ５５６を不正チップに取り替えて不正に利益を得ようとする行為が想定される。この場合に、上記のとおり、主制御基板５５５をボックスカバー５５３から分離しない限りＣＰＵチップ５５６などを露出させることができない構成となっている。したがって、不正チップに取り替える不正行為を行うためには分離阻止部材５６１の頭部５６５を切除する必要が生じ、遊技ホールの管理者等は頭部５６５が切除されているか否かを確認することで、かかる不正行為が行われたか否かを確認することが可能となる。
【０２３４】
但し、ボックスカバー５５３からの主制御基板５５５の分離の痕跡は第１脚部５６３の切断箇所として残るため、それを目視により確認するのは容易なことではない。特に、遊技ホールには多数のパチンコ機１０が配設されているため、開店前などにおいて各パチンコ機１０の主制御装置５５１を念入りにチェックするのは困難である。したがって、分離阻止部材５６１の頭部５６５を切除して不正基板への交換、又は不正チップへの取り替えを行った後に、頭部５６５を第１脚部５６３に接着させられると、それを見逃してしまうおそれがある。この場合、上記分離阻止部材５６１を設けた効果が消失してしまう。これに対して、本実施の形態では、頭部５６５が切除されたことを容易に確認することができる構成が設けられている。そこで、以下に、この確認容易化の構成について説明する。図３１は確認容易化の構成を説明するための説明図である。
【０２３５】
上述したとおり、分離阻止部材５６１の第１脚部５６３は、その先端部５６６が主制御基板５５５の素子搭載面５５５ａに接触している。第１脚部５６３の先端部５６６には第１脚部５６３の基端側に凹んだ凹部５６６ａが形成されている。主制御基板５５５の素子搭載面５５５ａには、凹部５６６ａに収容されるようにしてＬＥＤ５７１が配設されている。
【０２３６】
ＬＥＤ５７１に対しては、電源装置３１３から供給される電源が主制御基板５５５を介して供給される。この場合に、パチンコ機１０の電源がＯＮ状態の場合には、ＬＥＤ５７１に対して常に電源が供給されるように構成されており、パチンコ機１０の電源がＯＮ状態の場合にはＬＥＤ５７１から常に光が照射されている。なお、ＬＥＤ５７１から照射される光の色は、遊技ホールの管理者等が認識し易い色であれば任意であるが、本実施の形態では青色の光が照射されている。
【０２３７】
上述したように、分離阻止部材５６１は透明性を有するポリカーボネート樹脂により成型されているため、ＬＥＤ５７１から照射され第１脚部５６３内に導入された光は、図３１（ａ）に示すように、基本的に第１脚部５６３内で全反射を繰り返し、頭部５６５に向けて進む。つまり、この導入された光は、第１脚部５６３の外面の法線に対して臨界角よりも大きな入射角度で当該外面に対して入射することで全反射を繰り返し進んでゆく。そして、この全反射を繰り返した光は頭部５６５に導入される。
【０２３８】
頭部５６５の左側板面５６５ａには、その全体に亘って細かな線状の凹凸（凹凸部５６５ｂ）が形成されている。この凹凸部５６５ｂは機械的にエッチングすることで形成されている。上記のように導入された光は、凹凸部５６５ｂに到達すると、入射角が変化する。この入射角が変化した光は、凹凸部５６５ｂを透過したり、凹凸部５６５ｂにて乱反射することで、頭部５６５の外部に放出される。これにより、第１脚部５６３が切断されていない状態においては、頭部５６５の全体が青色に発光している。なお、図３１においては、頭部５６５の厚み寸法に対する凹凸部５６５ｂの寸法を実際よりも大きく示している。
【０２３９】
一方、頭部５６５が一旦切除され、その後、第１脚部５６３に接着された場合には、図３１（ｂ）に示すように、第１脚部５６３における切断箇所にて光の入射角が変化し当該光が外部に放出され、頭部５６５側に光が進まなくなる、又は進みにくくなる。よって、頭部５６５の全体が青色に発光しなくなる。
【０２４０】
以上の構成であることにより、遊技ホールの管理者等は、分離阻止部材５６１の全体が青色に発光しているか否かを確認することで、分離阻止部材５６１が切断されたか否かを確認することができる。特に、頭部５６５は比較的幅の広い板状に形成されているため、遊技ホールの管理者等にとってはその確認が行い易くなる。
【０２４１】
以上詳述した第２の実施の形態によれば、以下の優れた効果を奏する。
【０２４２】
分離阻止部材５６１を設けたことにより、ボックスカバー５５３からの主制御基板５５５の分離が阻止される。つまり、分離阻止部材５６１を脚部５６２と頭部５６５とから構成し、脚部５６２における第２脚部５６４を主制御基板５５５に対して破断ネジ５６８によって固定することで分離阻止部材５６１の主制御基板５５５からの取り外しを困難な構成とした。また、脚部５６２における第１脚部５６３はボックスカバー５５３に形成された貫通孔５５３ｂから突出し、この突出した部位が頭部５６５と繋がっている。そして、頭部５６５の幅方向寸法を貫通孔５５３ｂの幅方向寸法よりも大きくした。よって、ボックスカバー５５３から主制御基板５５５を分離させようとしたとしても、頭部５６５がボックスカバー５５３における貫通孔５５３ｂの周縁部に当たり、ボックスカバー５５３からの主制御基板５５５の分離が阻止される。
【０２４３】
本構成において、光導入部としての第１脚部５６３の先端部５６６に凹部５６６ａを形成し、当該凹部５６６ａに収容させるようにして主制御基板５５５にＬＥＤ５７１を設けた。これにより、第１脚部５６３内にＬＥＤ５７１からの光が導入される。また、頭部５６５には光放射部としての凹凸部５６５ｂを形成した。これにより、第１脚部５６３内に導入された光は凹凸部５６５ｂから放射される。
【０２４４】
以上の構成においては、主制御基板５５５をボックスカバー５５３から分離させるためには、第１脚部５６３における貫通孔５５３ｂからボックスカバー５５３の外部に突出した部位を切断する必要が生じる。そして、第１脚部５６３が切断された場合には、接着剤などを用いて第１脚部５６３を外観上元に戻しておいたとしても切断箇所は残り、頭部５６５に形成された凹凸部５６５ｂにＬＥＤ５６５ｂからの光が到達しない、又は到達する光の量が少なくなる。したがって、頭部５６５から光が放射されなくなる、又は頭部５６５から放射される光量が少なくなり、遊技ホールの管理者等は頭部５６５から放射される光を確認することでボックスカバー５５３から主制御基板５５５が分離されたか否かを確認することができる。
【０２４５】
主制御基板５５５をその素子搭載面５５５ａがボックスカバー５５３側を向くようにして配設するとともに、主制御基板５５５とボックスカバー５５３とによって形成される空間内にＣＰＵチップ５５６等の各種素子を収容するようにした。これにより、主制御基板５５５をボックスカバー５５３から分離させない限り、主制御基板５５５の素子搭載面５５５ａに搭載されたＣＰＵチップ５５６が露出されない。そして、上記のとおり、分離阻止部材５６１及びＬＥＤ５７１が設けられていることにより、主制御基板５５５に搭載されたＣＰＵチップ５５６の不正なチップへの交換等といった不正行為を容易に且つ確実に発見することができる。
【０２４６】
分離阻止部材５６１に、光導入部を有する第１脚部５６３と、固定部を有する第２脚部５６４とを形成した。これにより、分離阻止部材５６１を主制御基板５５５に対して着脱不可な状態で固定しつつ、頭部５６５に形成された凹凸部５６５ｂに光を導入することができる。特に、頭部５６５から真直ぐ延びる第１脚部５６３に光導入部を設けたことにより、頭部５６５にＬＥＤ５７１からの光が導入され易くなる。なお、主制御基板５５５にＬＥＤ５７１を配設したことにより、ＬＥＤ用基板を別途設ける必要がなくなる。
【０２４７】
上記第１の実施の形態と同様に、パチンコ機１０の電源がオンとなっている間はＬＥＤ５７１から光が照射されるようにした。これにより、遊技ホールの管理者等は、ボックスカバー５５３から主制御基板５５５が分離されたか否かを、パチンコ機１０の電源がオンとなっている間はいつでも確認することができる。また、当該確認を行うに際して、特別な操作を要することはなく、当該確認作業の作業性を向上させることができる。
【０２４８】
（第３の実施の形態）
本実施の形態では、主制御装置の構成が上記第１の実施の形態と異なっている。そこで、以下にかかる構成について詳細に説明する。なお、以下の説明では、上記第１の実施の形態との相違点を説明し、同一の構成については基本的に説明を省略する。図３２は本実施の形態における主制御装置７０１の横断面図である。
【０２４９】
主制御装置７０１は、透明性を有するアクリル樹脂により成形されたボックスベース７０２と、同じく透明性を有するアクリル樹脂により成形されたボックスカバー７０３とからなる基板ボックス７０４を備えており、当該基板ボックス７０４の内部空間に主制御基板７０５が収容されている。主制御基板７０５は、上記第１の実施の形態と同様にボックスカバー７０３にネジ止めされている。
【０２５０】
主制御基板７０５におけるＣＰＵチップ７０６などが搭載された素子搭載面７０５ａはボックスカバー７０３側を向いており、さらに素子搭載面７０５ａとボックスカバー７０３の本体部７０７との間は所定間隔離間され素子搭載面７０５ａ（主制御基板７０５）と本体部７０７とによって区画された空間にＣＰＵチップ７０６などが収容されている。これにより、主制御基板７０５をボックスカバー７０３から分離しない限りＣＰＵチップ７０６などが露出されない構成となっている。
【０２５１】
基板ボックス７０４には、上記第１の実施の形態と同様に、ボックスベース７０２とボックスカバー７０３とを結合させて基板ボックス７０４内に主制御基板７０５を封印させる結合ユニット７１０が設けられている。但し、本実施の形態における結合ユニット７１０の構成は上記第１の実施の形態と異なっている。
【０２５２】
結合ユニット７１０について説明する。図３３は結合ユニット７１０による結合及びその解除の様子を説明するための説明図である。
【０２５３】
ボックスベース７０２には、ボックスカバー７０３の挿し込み方向側の端部に、ボックスカバー７０３が当接し当該ボックスカバー７０３の挿し込み方向の移動を所定位置にて規制する規制壁７１１が一体形成されている。規制壁７１１は、ボックスベース７０２の底部７１２に対して主制御装置７０１の厚み方向に起立させて形成されている。
【０２５４】
規制壁７１１には、底部７１２側とは反対側の端部に、結合ユニット７１０を構成するベース側結合部７１３が一体形成されている。ベース側結合部７１３は、ボックスカバー７０３の本体部７０７よりも外方に突出させて形成されている。なお、本実施の形態では、本体部７０７がパチンコ機１０の後方を向くようにして主制御装置７０１が配設されているため、ベース側結合部７１３はボックスカバー７０３の本体部７０７よりもパチンコ機１０後方に突出しているとも言える。ベース側結合部７１３には、後述する係止爪が挿入される挿入穴７１４が、パチンコ機１０右方に開放させて形成されている。
【０２５５】
これらベース側結合部７１３に１対１で対応させて、ボックスカバー７０３には結合ユニット７１０を構成するカバー側結合部７１５が一体形成されている。各カバー側結合部７１５は、本体部７０７からパチンコ機１０後方に突出させて形成された連結部７１６に対して一体形成されており、当該連結部７１６を介して本体部７０７と繋がっている。すなわち、各カバー側結合部７１５は、本体部７０７よりもパチンコ機１０後方に突出させて設けられている。
【０２５６】
連結部７１６は各カバー側結合部７１５に１対１で対応させて設けられている。また、各連結部７１６は、薄板状であり、板面がそれぞれ左右を向くようにして形成されている。各連結部７１６は、厚み方向寸法（パチンコ機１０における上下方向寸法）が各カバー側結合部７１５に比べ小さくなっており、長さ寸法（パチンコ機１０における左右方向寸法）が切断工具の先端を容易に挿し込み可能な大きさとなっている。
【０２５７】
各カバー側結合部７１５には、ベース側結合部７１３の挿入穴７１４に対応させて、左右方向に貫通した挿入孔７１７が形成されている。ボックスカバー７０３をボックスベース７０２に対して装着した状態では、各カバー側結合部７１５は対応するベース側結合部７１３と当接し、カバー側結合部７１５の挿入孔７１７は対応するベース側結合部７１３の挿入穴７１４に対して連通した状態となる。この連通した挿入孔７１７及び挿入穴７１４に、図３３（ａ）に示すように、金属製の係止爪７１８を挿入することでボックスベース７０２とボックスカバー７０３とが結合されている。
【０２５８】
この場合、図３３（ｂ）に示すように、係止爪７１８の鉤状部７１８ａがベース側結合部７１３の挿入穴７１４に設けられた鉤受け部７１４ａに引っ掛かり、係止爪７１８を引き抜くことが不可能な構成となっている。したがって、ボックスベース７０２とボックスカバー７０３とを分離させるには、結合処理がなされているカバー側結合部７１５の連結部７１６を切断する必要がある。
【０２５９】
連結部７１６を切断することで、図３３（ｃ）に示すように、ボックスカバー７０３のスライド移動が可能となる。この際、結合処理がなされていた結合部７１３，７１５に関しては、ベース側結合部７１３に対してカバー側結合部７１５が残った状態となる。
【０２６０】
以上のとおり、ボックスベース７０２とボックスカバー７０３との分離、即ち、基板ボックス７０４の開封に際しては、結合処理がなされていた結合部７１３，７１５に対応した連結部７１６が切断されることで、その痕跡が残る。よって、遊技ホールの管理者などは、その切断された連結部７１６を目視することにより、基板ボックス７０４が不正に開封されたことを確認することができる。
【０２６１】
上記第１の実施の形態では、連結部７１６が切断されたことを容易に確認するための確認容易化の構成が設けられていたが、本実施の形態においてもかかる確認容易化の構成が設けられている。但し、確認容易化の構成が上記第１実施の形態と異なっている。そこで、この確認容易化の構成について説明する。
【０２６２】
図３２に示すように、ボックスカバー７０３の本体部７０７の内側には、各連結部７１６に１対１で対応させて光導入部７２１が一体形成されている。各光導入部７２１は各連結部７１６と同様に板状をなし、各連結部７１６の延長線上において主制御基板７０５に向けて真直ぐ延びるよう形成されている。より詳細には、各光導入部７２１（及び連結部７１６）の延びる方向は、主制御基板７０５と略直交する方向となっている。各光導入部７２１の先端面７２２は、主制御基板７０５の素子搭載面７０５ａと当接している。各光導入部７２１の先端面７２２には凹部７２３が形成されており、これら各凹部７２３に収容させるようにして主制御基板７０５の素子搭載面７０５ａにＬＥＤ７２５（発光ダイオード）が搭載されている。
【０２６３】
各ＬＥＤ７２５は、所定方向に凸となった砲弾型ＬＥＤである。詳細には、各ＬＥＤ７２５は平坦状又は略平坦状となった底面７２５ａを有しており、さらに当該底面７２５ａが向く側とは反対側に頂点７２５ｂを有するように曲面凸形状となっている。また、各ＬＥＤ７２５には、底面７２５ａから当該底面７２５ａが向く方向へ延びる接続端子７２６が設けられている。各ＬＥＤ７２５は、底面７２５ａから頂点７２５ｂに向けた方向に強い指向性を有する光を照射するという性質を有する。
【０２６４】
上記構成の各ＬＥＤ７２５は、底面７２５ａが素子搭載面７０５ａと対峙するようにして配置されており、この状態で接続端子７２６が主制御基板７０５に接続されている。これにより、各ＬＥＤ７２５の強い指向性を有する方向は素子搭載面７０５ａに対して略直交する方向となっている。ここで、素子搭載面７０５ａに対して略直交する方向は、光導入部７２１及び連結部７１６の延びる方向となっている。したがって、各ＬＥＤ７２５の強い指向性を有する方向は光導入部７２１及び連結部７１６の延びる方向となっている。かかる構成から、各光導入部７２１及び各連結部７１６は対応する各ＬＥＤ７２５に対してその指向性の強い方向の延長線上において当該指向性の強い方向に延びるよう形成されていると言える。
【０２６５】
各ＬＥＤ７２５には、主制御基板７０５を介して電源装置３１３から電源が供給されている。また、パチンコ機１０の電源がＯＮ状態の場合には、各ＬＥＤ７２５に常に電源が供給されるよう構成されており、パチンコ機１０の電源がＯＮ状態の場合には全ＬＥＤ７２５から常に光が照射されている。本実施の形態では、ＬＥＤ７２５から照射される光の色は、全て青色で統一されており、さらに照射される光の強さも略同一となるように各ＬＥＤ７２５に対する抵抗値等が設定されている。
【０２６６】
上述したように、ボックスカバー７０３は透明性を有するアクリル樹脂により成形されているため、各ＬＥＤ７２５から照射され光導入部７２１内に導入された光は基本的に光導入部７２１内で全反射を繰り返し、対応する連結部７１６に向けて進む。つまり、この導入された光は、光導入部７２１の外面の法線に対して臨界角よりも大きな入射角度で当該外面に対して入射することで全反射を繰り返し進んでゆく。そして、この全反射を繰り返した光は対応する連結部７１６に導入される。
【０２６７】
連結部７１６の左側板面７１６ａには、その全体に亘って細かな線状の凹凸（凹凸部７２７）が形成されている。この凹凸部７２７は機械的にエッチングすることで形成されている。上記のように導入された光は、図３４（ａ）に示すように、連結部７１６の右側板面７１６ｂに到達した場合は全反射する。一方、凹凸部７２７に到達すると、入射角が変化する。この入射角が変化した光は、凹凸部７２７を透過したり、凹凸部７２７にて乱反射することで、連結部７１６の外部に放出される。これにより、連結部７１６が切断されていない状態においては、当該連結部７１６の全体が青色に発光している。なお、図３４においては、連結部７１６の厚み寸法に対する凹凸部７２７の寸法を実際よりも大きく示している。
【０２６８】
一方、連結部７１６が切断された場合には、図３４（ｂ）に示すように、連結部７１６における光導入部７２１側の切断箇所にて光の入射角が変化し当該光が外部に放出され、それよりもカバー側結合部７１５側に光が進まなくなる。よって、連結部７１６の全体が青色に発光するのではなく、その一部のみが青色に発光することとなる。
【０２６９】
以上の構成であることにより、遊技ホールの管理者等は、連結部７１６の全体が青色に発光しているか否かを確認することで、連結部７１６が切断されたか否かを確認することができ、基板ボックス７０４が開封されたか否かを容易に確認することができる。また、各ＬＥＤ７２５からは常に青色の光が照射されており、その光の強さが略同一となるように設定されている。したがって、結合処理が施されている結合部７１３，７１５に対応した連結部７１６と、結合処理が施されていない結合部７１３，７１５に対応した連結部７１６とを見比べることにより、前者の連結部７１６が切断されていた場合には、その確認を容易に行うことができる。
【０２７０】
以上詳述した第３の実施の形態によれば、以下の優れた効果を奏する。
【０２７１】
発光手段としてのＬＥＤ７２５を主制御基板７０５に搭載したため、ＬＥＤ７２５用の基板を別途設ける構成に比べ、構成の簡素化を図ることができる。また、主制御基板７０５を介してＬＥＤ７２５に電力を供給することができ、ＬＥＤ７２５への電力供給を円滑に行うことが可能となる。
【０２７２】
また、ＬＥＤ７２５は、その指向性の強い方向が主制御基板７０５の基板面に対して略直交する方向となるようにして配設されている。ＬＥＤ７２５は、指向性の強い光の照射部側（凸となった箇所）とは反対側の端部に接続端子７２６を有しており、上記のとおり配設することで、ＬＥＤ７２５の主制御基板７０５への搭載を比較的良好に行うことができる。すなわち、指向性の強い方向が主制御基板７０５に沿う方向となるようにしてＬＥＤ７２５を配設する構成を想定すると、接続端子７２６を直角に曲げたりして主制御基板７０５に搭載する必要が生じるからである。
【０２７３】
また、かかる構成において、連結部７１６はＬＥＤ７２５に対してその指向性の強い方向の延長線上においてその指向性の強い方向に延びるよう形成されている。したがって、上記効果を奏しつつ連結部７１６への光の導入を行うことができる。特に、連結部７１６が導光板として機能する構成においては、連結部７１６の一端側から指向性の強い光を導入するのが好ましく、本構成によれば、かかる光の導入を良好に行うことができる。
【０２７４】
ＬＥＤ７２５を主制御基板７０５における各種電子素子が搭載される素子搭載面７０５ａに搭載した。これにより、ＬＥＤ７２５を各種電子素子とともに素子搭載面７０５ａに集約させることができるため、主制御基板７０５の構成を好適なものとすることができる。
【０２７５】
本体部７０７には、連結部７１６側からＬＥＤ７２５側に向けて真直ぐ延び、当該ＬＥＤ７２５からの光を連結部７１６に導入する光導入部７２１を設けた。素子搭載面７０５ａと本体部７０７とが離間され、本体部７０７から外方に延びるよう連結部７１６が形成された構成においては、ＬＥＤ７２５と連結部７１６とが離間されることとなる。この場合に、上記のとおり光導入部７２１を設けることで、連結部７１６への光の導入を確実に行うことができる。
【０２７６】
なお、本第３の実施の形態は、上記第１の実施の形態における特徴的な構成と同一又は類似した構成を備えており、かかる構成に基づく効果は本第３の実施の形態においても同様に奏する。
【０２７７】
（他の実施の形態）
なお、上述した実施の形態の記載内容に限定されず、例えば次のように実施してもよい。
【０２７８】
（１）上記第１の実施の形態に関する変形例を図３５に示す。図３５（ａ）及び図３５（ｂ）は各変形例を説明するためのカバー側結合部周辺の縦断面図である。
【０２７９】
図３５（ａ）では、ボックスカバー６０１の本体側連結部６０２には、その上側板面６０３全体に亘って光放射部６０４が形成されている。光放射部６０４は、例えば、上記第１の実施の形態と同様に、凹凸部によって形成されている。また、ボックスカバー６０１の本体部６０５には、光導入部６０６が形成されており、当該光導入部６０６から光を導入するためのＬＥＤ６０７ａを有するＬＥＤ基板６０７が配設されている。本構成においては、ＬＥＤ６０７ａから光導入部６０６内に導入された光は、カバー側結合部６０８に向けて進み、本体側連結部６０２の光放射部６０４にて外部に放射される。
【０２８０】
この場合に、本体側連結部６０２を切断する場合の切断箇所が、本体側連結部６０２における連結方向の中間位置となるように規制する規制手段が設けられている。つまり、規制手段は、本体部６０５からカバー側結合部６０８に向けて延びる第１規制部６１１を本体側連結部６０２を挟んで備えるとともに、カバー側結合部６０８から本体部６０５に向けて延びる第２規制部６１２を本体側連結部６０２を挟んで備えている。これら各規制部６１１，６１２は、厚み寸法が比較的大きく確保されており、さらに各規制部６１１，６１２と本体側連結部６０２との間は比較的狭くなっている。また、本体側連結部６０２の上側にある第１規制部６１１と第２規制部６１２との間は所定間隔離間されており、同様に本体側連結部６０２の下側にある第１規制部６１１と第２規制部６１２との間も離間されている。
【０２８１】
以上の構成であることにより、本体側連結部６０２の切断箇所は、本体側連結部６０２における連結方向の中間位置となる。本体側連結部６０２における本体部６０５側の端部又はカバー側結合部６０８側の端部が切断される場合を想定すると、切断後に接着剤などを用いて本体側連結部６０２を外観上元に戻した場合、光放射部６０４全体で見て光量のムラが生じることはなく、遊技ホールの管理者等が光放射部６０４から放射される光を確認したとしても、基板ボックス６０９が開封されているか否かを確認することは困難である。これに対して、本構成によれば、上記のとおり本体側連結部６０２における連結方向の中間位置が切断されるため、光放射部６０４全体で見て光量のムラが生じ、遊技ホールの管理者等は光放射部６０４から放射される光を確認することで基板ボックス６０９が開封されているか否かを確認することができる。
【０２８２】
図３５（ｂ）では、ボックスカバー６２１のカバー側結合部６２２は、その上側板面６２２ａが本体側連結部６２３の上側板面６２３ａに対して面一となるように形成されている。また、本体側連結部６２３には光放射部は形成されておらず、カバー側結合部６２２の上側板面６２２ａにその全体に亘って光放射部６２４が形成されている。光放射部６２４は、例えば、上記第１の実施の形態と同様に、凹凸部によって形成されている。また、ボックスカバー６２１の本体部６２５には、光導入部６２６が形成されており、当該光導入部６２６から光を導入するためのＬＥＤ６２７ａを有するＬＥＤ基板６２７が配設されている。
【０２８３】
以上の構成においては、ＬＥＤ６２７ａから光導入部６２６内に導入された光は、本体側連結部６２３を通ってカバー側結合部６２２に進み、当該カバー側結合部６２２の光放射部６２４にて外部に放射される。つまり、本構成では、「光放射部の位置を発光手段に対して連結部を挟んだ位置」に設定している。したがって、本体側連結部６２３が切断された場合には、接着剤などを用いて本体側連結部６２３を外観上元に戻したとしても、その切断箇所にて光が放射されることにより、光放射部６２４から光が放射されない、又は放射される光量が少なくなる。よって、遊技ホールの管理者等は光放射部６２４から放射される光を確認することで基板ボックス６２８が開封されているか否かを確認することができる。また、本構成においては、本体側連結部６２３が切断されると、その切断箇所から光が放射されるため、かかる光を確認することで基板ボックス６２８が開封されたことを確認することができる。
【０２８４】
（２）上記第１の実施の形態に関する変形例を図３６に示す。図３６（ａ）はカバー側結合部６３５周辺の横断面図、図３６（ｂ）はカバー側結合部６３５周辺の縦断面図である。
【０２８５】
図３６（ａ）及び（ｂ）に示すように、基板ボックス６３１を構成するボックスベース６３２及びボックスカバー６３３には、上記第１の実施の形態と同様に、ベース側結合部６３４とカバー側結合部６３５とが形成されている。これら各結合部６３４，６３５に対して結合処理を施すことによりボックスベース６３２に対してボックスカバー６３３が結合されている。結合処理が施された状態においてボックスベース６３２からボックスカバー６３３を分離するためには、ボックスカバー６３３の本体側連結部６３６を切断する必要がある。
【０２８６】
この場合に、本構成では、本体側連結部６３６には、導光体６３７が埋設されている。導光体６３７は、アクリル樹脂などといった透明性を有する合成樹脂により形成された軸体と、その軸体の外周面を覆うようにして設けられた光反射手段としての光反射テープとにより構成されている。なお、導光体６３７の構成は任意であり、例えば、光ファイバの構成を利用してもよく、また多数の光ファイバを束ねて導光体６３７を構成してもよい。
【０２８７】
ボックスカバー６３３の本体部６３８には、光導入部６３９が形成されており、当該光導入部６３９から光を導入するためのＬＥＤ６４１ａを有するＬＥＤ基板６４１が配設されている。導光体６３７の一端は光導入部６３９にあり、ＬＥＤ６４１ａから照射された光は導光体６３７内に導入される。また、導光体６３７の他端は、その端面６３７ａがカバー側結合部６３５の上側板面６３５ａから外部に露出している。この端面６３７ａが光放射部を構成している。
【０２８８】
以上の構成においては、ＬＥＤ６４１ａから導光体６３７内に導入された光は、導光体６３７内を反射しながら進み、カバー側結合部６３５の上側板面６３５ａから露出した導光体６３７の端面６３７ａから放射される。したがって、本体側連結部６３６が切断された場合には導光体６３７も合わせて切断され、接着剤などを用いて本体側連結部６３６を外観上元に戻したとしても、導光体６３７の切断箇所にて光が放射されることにより、導光体６３７の端面６３７ａから光が放射されない、又は放射される光量が少なくなる。よって、遊技ホールの管理者等は導光体６３７の端面６３７ａから放射される光を確認することで基板ボックス６３１が開封されているか否かを確認することができる。
【０２８９】
なお、上記のように導光体６３７を埋設する構成を、上記第２の実施の形態における分離阻止部材５６１に対して適用してもよい。また、上記のような導光体６３７を本体側連結部６３６や分離阻止部材５６１に埋設するのではなく、板面に対して分離不能又は分離困難な状態で固着する構成としてもよい。
【０２９０】
（３）上記第１の実施の形態では、発光手段としてＬＥＤ３００ａを設けたが、蛍光管などとといった他の発光体により発光手段を構成してもよい。また、発光手段として蛍光管を設ける構成においては、全ての本体側連結部２９５の端部と対峙するように設けることで、一の発光手段により全ての本体側連結部２９５に対して光を導入することができる。また、蛍光管からの光により主制御基板２７１も照らすようにしてもよい。ボックスカバー２９０は透明性を有する合成樹脂により形成されているため、ボックスカバー２９０を介して主制御基板２７１の素子搭載面２７１ａを視認可能であり、かかる構成において、蛍光管からの光により主制御基板２７１を照らすことで、素子搭載面２７１ａの視認性の向上を図ることができる。
【０２９１】
また、発光手段としてＬＥＤを設ける構成においては、一方向への指向性が強い指向性ＬＥＤ（指向性発光手段）を設けてもよい。この場合、本体側連結部２９５へ光をより導入し易くなる。なお、かかる指向性ＬＥＤを上記第２の実施の形態に対して設けることで同様の効果を得ることができる。
【０２９２】
（４）上記第１の実施の形態では、結合ユニット２７４を構成する本体側連結部２９５に光を導入する構成としたが、分離阻止手段を結合ユニット２７４とは別に設け、その分離阻止手段の解除部に光を導入するようにしてもよい。例えば、その分離阻止手段としては、上記第２の実施の形態における分離阻止部材５６１のような構成が考えられ、かかる分離阻止部材をボックスベース２８０及びボックスカバー２９０に対して設ける。
【０２９３】
つまり、ボックスカバー２９０には上記第２の実施の形態と同様に貫通孔５５３ｂを形成し、当該貫通孔５５３ｂを介して第１脚部５６３における頭部５６５側の端部を突出させた状態で第２脚部５６４をボックスベース２９０の底板部２８１に対して破断ネジ５６８などによって固定する。この場合、破断ネジ５６８は底板部２８１の外面側から螺着する。また、底板部２８１にはＬＥＤなどの発光手段を設け、当該発光手段からの光を第１脚部５６３に導入する。
【０２９４】
（５）上記第１の実施の形態では、各ＬＥＤ３００ａから照射される光の色を同一色としたが、異なる色としてもよい。この場合、遊技ホールの管理者等は各本体側連結部２９５から放射される光の色のパターンを覚えておくことで、基板ボックス２７３が開封されたか否かを確認することができる。つまり、所定の色が放射されていない場合には、基板ボックス２７３が開封されたと容易に判断することができる。なお、かかる構成を上記第３の実施の形態に対して適用してもよい。
【０２９５】
（６）上記第１の実施の形態において、各ＬＥＤ３００ａを多色発光が可能なものとしてもよい。この場合に、その発光色の切り換え手段を主制御装置２７０などに設けておき、結合処理を行ったベース側結合部２８６及びカバー側結合部２９４に対応したＬＥＤ３００ａを所定の発光色に設定し、他のＬＥＤ３００ａを前記所定の発光色とは異なる発光色に設定する。この場合、遊技ホールの管理者等は、確認すべき本体側連結部２９５を容易に把握することができる。なお、かかる構成を上記第３の実施の形態に対して適用してもよい。
【０２９６】
（７）上記第１の実施の形態において、ベース側結合部２８６とカバー側結合部２９４との組合せの数は５個に限定されることはない。
【０２９７】
（８）上記第１の実施の形態において、ＬＥＤ基板３００を設けるのではなく、主制御基板２７１にＬＥＤ３００ａを搭載してもよい。この場合、ＬＥＤ３００ａの光の指向性が強い方向（ＬＥＤ３００ａの凸となる方向）の延長線上に本体側連結部２９５が位置し、且つ光の指向性が強い方向が当該本体側連結部２９５の延びる方向となるよう構成する必要がある。例えば、ＬＥＤ３００ａを、上記第１の実施の形態における本体側連結部２９５の延長線上において、凸となる方向が主制御基板２７１に沿う方向となるように配設する構成が考えられる。また、ＬＥＤ３００ａをその凸となる方向が主制御基板２７１の素子搭載面２７１ａの向く方向となるように配設し（すなわち、ＬＥＤ３００ａの延びる方向が主制御基板２７１に対して略直交する方向となるようにＬＥＤ３００ａを配設し）、その延長線上にて当該延長線方向に本体側連結部２９５が延びるように結合ユニット２７４を主制御装置２７０において形成する構成が考えられる。
【０２９８】
（９）上記第２の実施の形態に関する変形例を図３７に示す。図３７は主制御装置６５１の横断面図である。主制御装置６５１は上記第２の実施の形態における主制御装置５５１と同様に、ボックスベース６５２とボックスカバー６５３とからなる基板ボックス６５４を備えており、当該基板ボックス６５４の内部空間に主制御基板６５５が収容されている。主制御基板６５５はボックスカバー６５３にネジ止めされている。また、上記第２の実施の形態と同様に、主制御装置６５１には、分離阻止部材６５６が設けられている。
【０２９９】
この場合に、ボックスカバー６５３には、分離阻止部材６５６の第１脚部６５７をボックスカバー６５３の外部に突出させるための開口部６５８が形成されており、さらには、開口部６５８の周縁部分には主制御基板６５５に向けて延びる囲い壁６５９が形成されている。囲い壁６５９は基板ボックス６５４の内部にて分離阻止部材６５６を囲むようにして形成されており、囲い壁６５９の先端は主制御基板６５５の素子搭載面６５５ａに当接している。これにより、ボックスカバー６５３に分離阻止部材６５６を設けるための開口部６５８を設けた構成において、当該開口部６５８を介して基板ボックス６５４の内部に不正用冶具を挿入しようとする行為を抑制することができる。
【０３００】
（１０）上記第２の実施の形態に関する変形例を図３８に示す。図３８は主制御装置６６１の横断面図である。主制御装置６６１は上記第２の実施の形態における主制御装置５５１と同様に、ボックスベース６６２とボックスカバー６６３とからなる基板ボックス６６４を備えており、当該基板ボックス６６４の内部空間に主制御基板６６５が収容されている。主制御基板６６５はボックスカバー６６３にネジ止めされている。また、上記第２の実施の形態と同様に、主制御装置６６１には、分離阻止部材６６６が設けられている。
【０３０１】
この場合に、ボックスカバー６６３には、凹部６６７が形成されており、当該凹部６６７に対して分離阻止部材６６６が設けられている。詳細には、凹部６６７は、ボックスカバー６６３において外面６６３ａに対して基板ボックス６６４内側に凹ませて形成されており、凹部６６７の底部６６８はその内側面（図３８の状態で見て下側面）が主制御基板６６５の素子搭載面６６５ａに当接している。また、底部６６８には、２つの貫通孔６６８ａ，６６８ｂが形成されており、一方は主制御基板６６５に搭載されたＬＥＤ６６９が貫通しており、他方は分離阻止部材６６６を主制御基板６６５に対して固定するための破断ネジ６７０が貫通している。そして、分離阻止部材６６６は、第１脚部６７１及び第２脚部６７２の端部を底部６６８の外側面（図３８の状態で見て上側面）に当接させて配設されている。これにより、ボックスカバー６６３からの主制御基板６６５の分離を阻止する分離阻止部材６６６を設けた構成において、主制御基板６６５が基板ボックス６６４の外部に露出してしまうことを抑制することができる。
【０３０２】
（１１）分離阻止部材５６１の頭部５６５の厚み寸法を上記第２の実施の形態よりも大きくすることで、主制御装置５５１のボックスカバー５５３に形成された貫通孔５５３ｂを頭部５６５により塞ぐ、又は隠すようにしてもよい。また、分離阻止部材５６１とは別体のものにより貫通孔５５３ｂを塞ぐ、又は隠すようにしてもよい。これにより、貫通孔５５３ｂを介して基板ボックス５５４の内部に不正用冶具を挿入しようとする行為を抑制することができる。
【０３０３】
（１２）上記第２の実施の形態では、分離阻止部材５６１の脚部５６２を、光導入部を有する第１脚部５６３と固定部を有する第２脚部５６４とから構成したが、このように複数の脚部を設けずに、一の脚部に対して光導入部と固定部とを設ける構成としてもよい。
【０３０４】
（１３）上記第２の実施の形態では、破断ネジ５６８を用いることにより、第２脚部５６４を主制御基板５５５に対して離脱不可な状態で設けたが、離脱不可又は困難であれば、破断ネジ５６８に限定されることはなく、上記第１の実施の形態における結合ユニット２７４のような係止爪を主制御基板５５５の半田面５５５ｂ側から分離阻止部材５６１に圧入する構成としてもよい。
【０３０５】
（１４）上記第２の実施の形態において、分離阻止部材５６１の脚部５６２の周面に光反射手段を設け、ＬＥＤ５７１から導入された光の脚部５６２における漏れ出しを抑制する構成としてもよい。光反射手段としては、例えば、光反射テープを貼り付ける構成や、銀ペーストなどといった金属添加ペーストを塗布する構成が考えられる。
【０３０６】
（１５）上記各実施の形態では、分離阻止手段に光放射部を設ける構成としたが、光放射部を設けなくてもよい。この場合、上記第１の実施の形態においては、本体側連結部２９５が切断されると、その後に接着剤などを用いて本体側連結部２９５を外観上元に戻しておいたとしても、切断箇所から光が放射される。よって、遊技ホールの管理者等はその光を確認することで基板ボックス２７３が開封されたことを把握することができる。また、上記第２の実施の形態においては、第１脚部５６３が切断されると、その後に接着剤などを用いて第１脚部５６３を外観上元に戻しておいたとしても、切断箇所から光が放射される。よって、遊技ホールの管理者等はその光を確認することで主制御基板５５５がボックスカバー５５３から分離されたことを把握することができる。
【０３０７】
（１６）上記各実施の形態において、パチンコ機１０の電源がＯＮとなっている間は、各ＬＥＤ３００ａ，５７１から常に光が照射される構成としたが、これに代えて、例えば、ＬＥＤ３００ａ，５７１の電源スイッチを主制御装置２７０，５５１や本体枠１２の背面側などといったように本体枠１２を開いた際に操作可能な位置に配設し、当該電源スイッチがＯＮ操作された際にＬＥＤ３００ａ，５７１から光が照射される構成としてもよい。
【０３０８】
また、例えば、本体枠１２が開放されたことを検出する開放検出手段（プッシュ式センサなどといった開放検出センサ）を設けるとともに、開放検出手段の検出結果に基づいて本体枠１２が開放されたか否かを判定する開放判定手段を設ける。さらに、開放判定手段により本体枠１２が開放されたと判定された場合に、ＬＥＤ３００ａ，５７１をＯＮ制御する発光制御手段を設ける。これにより、本体枠１２が開放された場合にのみ、ＬＥＤ３００ａ，５７１から光が照射され、省エネを図ることができる。なお、開放判定手段や発光制御手段を主制御基板２７１のＣＰＵ５０１にて行う構成としてもよい。
【０３０９】
また、例えば、バックアップ用の電源がＬＥＤ３００ａ，５７１（ＬＥＤ基板）に供給されるようにしてもよい。この場合、パチンコ機１０の電源がＯＦＦ状態であっても、ＬＥＤ３００ａ，５７１から光が照射され、パチンコ機１０の電源をＯＮ状態としなくても、主制御装置２７０，５５１に対する不正行為の有無を確認することができる。
【０３１０】
（１７）上記各実施の形態では、ＬＥＤ３００ａ，５７１が主制御基板２７１，５５５に接続されており、主制御基板２７１，５５５から供給される電源により光を照射する構成としたが、かかる電源を表示制御装置２１４や音声ランプ制御装置２７２から受ける構成としてもよい。また、主制御基板２７１，５５５等を介さずに電源装置３１３から直接受ける構成としてもよい。
【０３１１】
（１８）上記各実施の形態において、凹凸部２９５ｂ，５６５ｂの形成方法は、機械的にエッチングする方法に限られるものではなく、例えば、薬液などを用いて凹凸部２９５ｂ，５６５ｂを化学的にパターニングする構成としてもよい。
【０３１２】
また、透明性を有し本体側連結部２９５や頭部５６５と異なる屈折率の反射用部材を埋め込む構成としてもよい。この場合、反射用部材と本体側連結部２９５や頭部５６５との境界面にて光が乱反射することで光が放射される。なお、反射用部材として比較的小径のビーズを多数埋め込む構成とすれば、反射用部材と本体側連結部２９５や頭部５６５との間の境界面を極力大きく確保することができ、反射用部材を介して放射される光の量を増やすことができる。また、本体側連結部２９５の板面や頭部５６５の板面に反射塗料を塗布することで光放射部を形成するようにしてもよい。
【０３１３】
（１９）上記各実施の形態における分離阻止手段の構成を、取付台２５１と主制御装置２７０に対して設け、取付台２５１からの主制御装置２７０の分離を阻止する構成としてもよい。そして、分離阻止手段の解除部に対して光を導入する発光手段を設けるとともに、その導入された光を放射するための光放射部を分離阻止手段に設ける。これにより、取付台２５１から主制御装置２７０が分離された場合には、それを確認することができ、不正な制御装置への交換等といった不正行為を容易に且つ確実に確認することができる。
【０３１４】
本構成の技術的思想は、「基板ボックス内に制御基板を収容してなる制御基板装置と、制御基板装置を搭載する搭載部とを備えた遊技機において、解除部が切断されない限り前記搭載部からの前記制御基板装置の分離を阻止する分離阻止手段を設け、さらに、前記解除部を、透明性を有する導光体を用いて構成するとともに、当該解除部に光を導入する発光手段を設けたこと」である。
【０３１５】
（２０）払出制御装置３１１への不正対策として、上記各実施の形態における分離阻止手段及び発光手段を設ける構成としてもよい。なお、主制御装置２７０，５５１や払出制御装置３１１以外に、遊技球の払い出し（特典の付与）に関わる制御を行う制御装置が設けられる構成においては、当該制御装置に上記実施の形態における分離阻止手段及び発光手段を設ける構成としてもよい。
【０３１６】
（２１）上記第３の実施の形態では、ＬＥＤ７２５として砲弾型ＬＥＤを設けたが、チップ型ＬＥＤなどを設けてもよい。チップ型ＬＥＤは、平坦状又は略平坦状となった底面を有しており、当該底面とは反対側の上面が向く方向に強い指向性を有する光が照射される。また、チップ型ＬＥＤは、底面又は側面から底面が向く方向に接続端子が延びている。当該チップ型ＬＥＤを用いる場合であっても、底面が主制御基板７０５の素子搭載面７０５ａと対峙するようにして配置し、この状態で接続端子を主制御基板７０５に接続することで、ＬＥＤの主制御基板７０５への搭載を良好に行うことができる。ちなみに、このようにチップ型ＬＥＤを搭載した構成においては、チップ型ＬＥＤの上面が素子搭載面７０５ａとは反対側を向くため、チップ型ＬＥＤにおける指向性の強い方向は素子搭載面７０５ａに対して略直交する方向となる。
【０３１７】
（２２）上記各実施の形態では、主制御装置２７０，５５１，７０１を主制御基板２７１，５５５，７０５の素子搭載面２７１ａ，５５５ａ，７０５ａがパチンコ機１０後方を向くように配設したが、当該主制御装置２７０，５５１，７０１を素子搭載面２７１ａ，５５５ａ，７０５ａがパチンコ機１０側方を向くように配設してもよい。また、主制御装置２７０，５５１，７０１を素子搭載面２７１ａ，５５５ａ，７０５ａがパチンコ機１０前方を向くように配設してもよい。
【０３１８】
（２３）上記各実施の形態では、ボックスベース２８０，５５２，７０２とボックスカバー２９０，５５３，７０３とを同一の材料により成形したが、それぞれ異なる材料により成形してもよい。例えば、導光板として機能する連結部が形成されたボックスカバー２９０，５５３，７０３を他の樹脂に比べ透明性の良いアクリル樹脂により成形し、連結部が形成されないボックスベース２８０，５５２，７０２をアクリル樹脂よりも強度の高いポリカーボネート樹脂により成形してもよい。
【０３１９】
（２４）上記各実施の形態では、第１図柄の変動表示を行う図柄表示装置４１と別に第１特定ランプ部４７を設ける構成としたが、第１特定ランプ部４７を設けずともよい。
【０３２０】
（２５）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、分離阻止手段及び発光手段を備えた本発明を適用できる。
【０３２１】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも、分離阻止手段及び発光手段を備えた本発明を適用できる。
【０３２２】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも、分離阻止手段及び発光手段を備えた本発明を適用できる。
【符号の説明】
【０３２３】
１０…遊技機としてのパチンコ機、１１…外枠、１２…本体枠、１３…前扉枠、１８…遊技球発射ハンドル、３０…遊技盤、３１…入球部としての一般入賞口、３２…入球部としての可変入賞装置、３３…入球部としての作動口、２７０…主制御装置、２７１…主制御基板、２８０…第１ケース体としてのボックスベース、２８６…第１結合部としてのベース側結合部、２９０…第２ケース体としてのボックスカバー、２９４…第２結合部としてのカバー側結合部、２９５…解除部としての本体側連結部、２９５ｂ…光放射部としての凹凸部、３００ａ…発光手段としてのＬＥＤ、３１１…払出制御装置、３５８…払出装置、５５１…主制御装置、５５２…ケース体を構成するボックスベース、５５３…ケース体を構成するボックスカバー、５５３ｂ…貫通孔、５５５…主制御基板、５５５ａ…素子搭載面、５５６…ＣＰＵチップ、５６１…分離阻止部材、５６２…脚部、５６３…解除部としての第１脚部、５６４…第２脚部、５６５…頭部、５６５ｂ…光放射部としての凹凸部、５６６…光導入部としての先端部、５６７…固定部としての先端部、５７１…発光手段としてのＬＥＤ、６１１…規制手段を構成する第１規制部、６１２…規制手段を構成する第２規制部。
【図１】
0005578190.tif 000002
【図２】
0005578190.tif 000003
【図３】
0005578190.tif 000004
【図４】
0005578190.tif 000005
【図５】
0005578190.tif 000006
【図６】
0005578190.tif 000007
【図７】
0005578190.tif 000008
【図８】
0005578190.tif 000009
【図９】
0005578190.tif 000010
【図１０】
0005578190.tif 000011
【図１１】
0005578190.tif 000012
【図１２】
0005578190.tif 000013
【図１３】
0005578190.tif 000014
【図１４】
0005578190.tif 000015
【図１５】
0005578190.tif 000016
【図１６】
0005578190.tif 000017
【図１７】
0005578190.tif 000018
【図１８】
0005578190.tif 000019
【図１９】
0005578190.tif 000020
【図２０】
0005578190.tif 000021
【図２１】
0005578190.tif 000022
【図２２】
0005578190.tif 000023
【図２３】
0005578190.tif 000024
【図２４】
0005578190.tif 000025
【図２５】
0005578190.tif 000026
【図２６】
0005578190.tif 000027
【図２７】
0005578190.tif 000028
【図２８】
0005578190.tif 000029
【図２９】
0005578190.tif 000030
【図３０】
0005578190.tif 000031
【図３１】
0005578190.tif 000032
【図３２】
0005578190.tif 000033
【図３３】
0005578190.tif 000034
【図３４】
0005578190.tif 000035
【図３５】
0005578190.tif 000036
【図３６】
0005578190.tif 000037
【図３７】
0005578190.tif 000038
【図３８】
0005578190.tif 000039